(57)【要約】【課題】  ペットの胴周りに対し良好にフィットするペット用使い捨ておむつを提供する。【解決手段】  背側胴周り域１３０と、腹側胴周り域１１０と、股下域１２０と、背側フラップ部１６０と、腹側フラップ部１５０と、尻尾挿通開口１９０とを有し、背側フラップ部１６０と腹側フラップ部１５０の少なくとも一方は識別領域１０Ａを有し、ペット用使い捨ておむつ１０に対する外部からの識別領域１０Ａの視認情報に基づき、背側フラップ部１６０の状態が異常であることを判別可能にする。【選択図】図６
2014117180.tif 000002
【特許請求の範囲】
【請求項１】
ペット用使い捨ておむつであって、
背側胴周り域と、腹側胴周り域と、該背側胴周り域と腹側胴周り域の間に位置する股下域と、
前記ペット用使い捨ておむつがペットに装着されていない状態において、前記背側胴周り域と前記股下域と前記腹側胴周り域が連続する方向であるおむつ長手方向と、該おむつ長手方向と交差する方向であるおむつ長手交差方向と、
前記おむつ長手方向上における背側胴周り域端部と、前記おむつ長手方向上における腹側胴周り域端部と、前記おむつ長手交差方向上における両端部と、
前記背側胴周り域に設けられる背側フラップ部と、
前記腹側胴周り域に設けられる腹側フラップ部と、
前記おむつ長手方向の所定領域に設けられる尻尾挿通開口と、
前記おむつ長手方向において前記尻尾開通口の一方側に形成され、前記股下域と前記腹側胴周り域の所定領域に配置される吸収性コアと、
前記腹側フラップ部に配置されるとともに所定の長さを有する止着部と、
前記背側胴周り領域に設けられるとともに前記止着部を受ける止着領域と、を有し、
前記背側フラップ部と前記腹側フラップ部の少なくとも一方は識別領域を有し、
前記ペット用使い捨ておむつを前記ペットへ装着する状態においては、前記背側胴周り域が前記ペットの背に密接されつつ、前記股下域および前記腹側胴周り域が前記ペットの股間乃至腹に被覆されるとともに、前記止着部が前記止着領域に止着され、
前記ペット用使い捨ておむつを前記ペットが装着している状態においては、排泄時の前記吸収性コアの重量が前記止着部の長手方向で受けられるとともに、前記ペット用使い捨ておむつの外部からの前記識別領域の視認情報に基づき、前記背側フラップ部の状態が異常であることを判別可能に構成されていることを特徴とするペット用使い捨ておむつ。
【請求項２】
請求項1に記載されたペット用使い捨ておむつにおいて、
前記識別領域が前記ペット用使い捨ておむつの外部から視認できる場合は前記背側フラップ部の状態を正常とし、
前記識別領域が前記ペット用使い捨ておむつの外部から視認できない場合は前記背側フラップ部の状態を異常とすることを特徴とするペット用使い捨ておむつ。
【請求項３】
請求項１または２のいずれか１項に記載されたペット用使い捨ておむつにおいて、
前記背側フラップ部の状態が正常とはペット用使い捨ておむつをペットに装着した状態において前記背側フラップ部が折れ曲っていない状態であり、
前記背側フラップ部の状態が異常とはペット用使い捨ておむつをペットに装着した状態において前記背側フラップ部の少なくとも一部が折れ曲っている状態であることを特徴とするペット用使い捨ておむつ。
【請求項４】
請求項１〜３のいずれか１項に記載されたペット用使い捨ておむつにおいて、
前記識別領域が、前記背側フラップ部に設けられていることを特徴とするペット用使い捨ておむつ。
【請求項５】
請求項４に記載されたペット用使い捨ておむつにおいて、
前記識別領域が、前記背側フラップ部の長手交差方向上に延出された第１の延出識別領域であることを特徴とするペット用使い捨ておむつ。
【請求項６】
請求項４に記載されたペット用使い捨ておむつにおいて、
前記識別領域が、前記背側フラップ部の長手方向上に延出された第２の延出識別領域であることを特徴とするペット用使い捨ておむつ。
【請求項７】
請求項４に記載されたペット用使い捨ておむつにおいて、
前記識別領域が、前記背側フラップ部における他の領域とは異なる配色を施された配色識別領域であることを特徴とするペット用使い捨ておむつ。
【請求項８】
請求項４に記載されたペット用使い捨ておむつにおいて、
前記ペット用使い捨ておむつを前記ペットが装着している状態においては、前記背側フラップ部に設けられた前記識別領域が、前記腹側フラップ部における長手方向上の端部から突出していることを特徴とするペット用使い捨ておむつ。
【請求項９】
請求項８に記載されたペット用使い捨ておむつにおいて、
前記背側フラップ部における前記識別領域の背側方向端部を通過するおむつ長手交差方向の仮想線である第１の仮想線と、
前記背側フラップ部における前記止着領域の背側方向端部を通過するおむつ長手交差方向の仮想線である第２の仮想線と
前記第１の仮想線と前記第２の仮想線とを結ぶおむつ長手方向の仮想線である第３の仮想線と、
前記腹側フラップ部における前記止着手段の背側方向端部を通過するおむつ長手交差方向の仮想線である第４の仮想線と、
前記腹側フラップ部における腹側方向端部を通過するおむつ長手交差方向の仮想線である第５の仮想線と、
前記第４の仮想線と前記第５の仮想線とを結ぶおむつ長手方向の仮想線である第６の仮想線と、を有し、
前記第３の仮想線の長さが、前記第６の仮想線の長さよりも長く形成されていることを特徴とするペット用使い捨ておむつ。
【請求項１０】
請求項１〜３のいずれか１項に記載されたペット用使い捨ておむつにおいて、
前記識別領域が、前記腹側フラップ部に設けられていることを特徴とするペット用使い捨ておむつ。
【請求項１１】
請求項１０に記載されたペット用使い捨ておむつにおいて、
前記識別領域が、前記背側フラップ部の状態を確認するために前記腹側フラップ部に設けられた視認領域であることを特徴とするペット用使い捨ておむつ。
【請求項１２】
請求項１０に記載されたペット用使い捨ておむつにおいて、
前記視認領域が、光線を透過することができる光線透過識別領域であることを特徴とするペット用使い捨ておむつ。
【請求項１３】
請求項１０に記載されたペット用使い捨ておむつにおいて、
前記視認領域が、前記腹側フラップ部の腹側方向端部を切欠いて形成された切欠き識別領域であることを特徴とするペット用使い捨ておむつ。
【請求項１４】
請求項１０に記載されたペット用使い捨ておむつにおいて、
前記視認領域が、前記腹側フラップ部を開口して形成された第１の開口識別領域であることを特徴とするペット用使い捨ておむつ。
【請求項１５】
請求項１０に記載されたペット用使い捨ておむつにおいて、
前記視認領域が、前記腹側フラップ部を開口して形成された第２の開口識別領域と、該第２の開口識別領域を覆うとともに該第２の開口識別領域に対して開閉自在に形成された蓋領域とにより構成されていることを特徴とするペット用使い捨ておむつ。
【請求項１６】
請求項１〜１５までのいずれか１項に記載されたペット用使い捨ておむつにおいて、
前記識別領域が、前記背側フラップ部に設けられた背側フラップ部識別領域と、前記腹側フラップ部に設けられた腹側フラップ部領域とにより形成されていることを特徴とするペット用使い捨ておむつ。
【発明の詳細な説明】
【技術分野】
【０００１】
本発明は、ペット用使い捨ておむつに関する。
特に、ペットの胴周りに対するフィット性に優れたペット用使い捨ておむつに関する。
【背景技術】
【０００２】
犬や猫に代表されるペットを、家屋内で飼育することは一般的である。このため、種々のペット用使い捨ておむつが販売されている。例えば、特開２００４−１５９５９１号に示される構造のペット用使い捨ておむつが提案されている。
【先行技術文献】
【特許文献】
【０００３】
【特許文献１】特開２００４−１５９５９１号公報
【発明の概要】
【発明が解決しようとする課題】
【０００４】
図５１〜図５２により、特開２００４−１５９５９１号に記載されたペット用使い捨ておむつを説明する。図５１はペット用使い捨ておむつを展開した状態の平面図、図５２はペット用使い捨ておむつをペットに装着した状態の説明図である。
ペット用使い捨ておむつ１０００は、液透過性シート９９１０と、液抵抗性シート（図示せず）と、この液透過性シート９９１０と液抵抗性シートの間に配置された吸収性コア２０００とにより構成される。
液透過性シート９９１０は液透過性の不織布により形成される。液抵抗性シートは液不透過性プラスチックフィルムにより形成される。吸収性コア２０００は、パルプなどの
吸液性繊維と、高吸収性ポリマーとの混合物により形成される。
【０００５】
ペット用使い捨ておむつ１０００は、腹側胴周り域１１１０と、背側胴周り域１１３０と、腹側胴周り域１１１０と背側胴周り域１１３０の間に位置する股下域１１２０を有する。
ペット用使い捨ておむつ１０００は、腹側胴周り域１１１０と股下域１１２０と背側胴周り域１１３０に連続されるおむつ長手方向を有する。また、おむつ長手方向と交差するおむつ長手交差方向を有する。
【０００６】
おむつ長手方向上において、腹側胴周り域１１１０には端部１１１０Ａが形成され、背側胴周り域１１３０には端部１１３０Ａが形成される。
腹側胴周り域１１１０には腹側フラップ１１５０が形成される。腹側フラップ１１５０は背側端部１１５０Ｂを有する。この背側端部１１５０Ｂは、腹側フラップ１１５０におけるおむつ長手交差方向の端部から、吸収性コア２０００の端部２２２０におけるおむつ長手交差方向上の位置にわたり連続して設けられる。
ペット用使い捨ておむつ１０００をペットに装着した場合、腹側フラップ１１５０はペットの脚Α１に対して比較的長い距離にて接する。
腹側フラップ１１５０には多数のフックを備えた止着部３０００が配置される。
【０００７】
腹側胴周り域１１１０から股下域１１２０に亘る所定の領域内に、吸収性コア２０００が配置される。吸収性コア２０００が設けられていない股下域１１２０と背側胴周り域１１３０の所定位置に、尻尾挿通開口１１９０が設けられる。
背側胴周り域１１９０の所定位置にはターゲットテープからなる止着領域９０００が構成される。ペット用使い捨ておむつ１０００をペットに着用する場合、止着部３０００のフックを、止着領域９０００へ係合させる。
背側胴周り域１１３０には背側フラップ部１１６０が設けられる。
【０００８】
ペット用使い捨ておむつ１０００におけるおむつ長手交差方向上の端部付近には脚周り用伸縮性弾性部材４０００が配置される。この脚周り用伸縮性弾性部材４０００が収縮することにより、図５２に示す脚周りギャザー４４１０が形成される。この脚周り用伸縮性弾性部材４０００はおむつ長手方向において、腹側胴周り域１１１０の一部から股下域１１２０に亘り配置される。この結果、脚周り用伸縮性弾性部材４０００の収縮力は、腹側胴周り域１１１０の端部１１１０Ａおよび背側胴周り域１１３０の端部１１３０Ａには影響を及ぼさない。
【０００９】
ペット用使い捨ておむつ１０００におけるおむつ長手交差方向上の端部から内側に亘り、防漏シート８０００が配置される。防漏シート８０００には防漏シート用伸縮性弾性部材６０００が配置される。この防漏シート用伸縮性弾性部材６０００が収縮することにより、図示しない防漏ギャザーと防漏壁が構成される。
なお、防漏シート用伸縮性弾性部材６０００の腹側胴周り域側の端部は、使い捨てペット用おむつ１０００の長手方向端部１１１０Ａまで達していない。また、防漏シート用伸縮性弾性部材６０００の背側端部は、尻尾挿通開口１１９０を超えて配置される。
【００１０】
ペット用使い捨ておむつ１０００をペットに装着する場合、背側胴周り域１１３０をペットの背にあて、股下域１１２０および腹側胴周り域１１１０をペットの股下および腹にあてる。この状態で、止着部３０００を止着領域９０００に固定する。
【００１１】
一方、従来のペット用使い捨ておむつ１０００をペットαに装着した場合、背側フラップ部１１６０は腹側フラップ部１１５０に覆われた状態となる。よって、背側フラップ部１１６０が折れ曲った状態であっても、使用者はそのことに気づきにくい場合があった。
このように背側フラップ部１１６０が折れ曲った状態であっては、特にペット用使い捨ておむつ１０００がペットαの胴周りに対してフィットせずに、結果として排泄物の漏れを生ずる場合があった。
【００１２】
本発明は、このような点に鑑みて創案されたものであり、ペットの胴周りに対し良好にフィットするペット用使い捨ておむつを提供することを目的とする。
【課題を解決するための手段】
【００１３】
上記課題を解決するため、本発明に係るペット用使い捨ておむつの好ましい形態によれば、背側胴周り域と、腹側胴周り域と、該背側胴周り域と腹側胴周り域の間に位置する股下域と、前記ペット用使い捨ておむつがペットに装着されていない状態において、前記背側胴周り域と前記股下域と前記腹側胴周り域が連続する方向であるおむつ長手方向と、該おむつ長手方向と交差する方向であるおむつ長手交差方向と、前記おむつ長手方向上における背側胴周り域端部と、前記おむつ長手方向上における腹側胴周り域端部と、前記おむつ長手交差方向上における両端部と、前記背側胴周り域に設けられる背側フラップ部と、前記腹側胴周り域に設けられる腹側フラップ部と、前記おむつ長手方向の所定領域に設けられる尻尾挿通開口と、前記おむつ長手方向において前記尻尾開通口の一方側に形成され、前記股下域と前記腹側胴周り域の所定領域に配置される吸収性コアと、前記腹側フラップ部に配置されるとともに所定の長さを有する止着部と、前記背側胴周り領域に設けられるとともに前記止着部を受ける止着領域と、を有する。
さらに、前記背側フラップ部と前記腹側フラップ部の少なくとも一方は識別領域を有する。
さらに、前記ペット用使い捨ておむつを前記ペットへ装着する状態においては、前記背側胴周り域が前記ペットの背に密接されつつ、前記股下域および前記腹側胴周り域が前記ペットの股間乃至腹に被覆されるとともに、前記止着部が前記止着領域に止着される。
さらに、前記ペット用使い捨ておむつを前記ペットが装着している状態においては、排泄時の前記吸収性コアの重量が前記止着部の長手方向で受けられるとともに、前記ペット用使い捨ておむつの外部からの前記識別領域の視認情報に基づき、前記背側フラップ部の状態が異常であることを判別可能に構成されている。
【００１４】
また本発明に係る解決手段の一態様として、前記識別領域が前記ペット用使い捨ておむつの外部から視認できる場合は前記背側フラップ部の状態を正常とし、前記識別領域が前記ペット用使い捨ておむつの外部から視認できない場合は前記背側フラップ部の状態を異常とする。
また本発明に係る解決手段の一態様として、前記背側フラップ部の状態が正常とはペット用使い捨ておむつをペットに装着した状態において前記背側フラップ部が折れ曲っていない状態であり、前記背側フラップ部の状態が異常とはペット用使い捨ておむつをペットに装着した状態において前記背側フラップ部の少なくとも一部が折れ曲っている状態である。
また本発明に係る解決手段の一態様として、前記識別領域が、前記背側フラップ部に設けられている。
また本発明に係る解決手段の一態様として、前記識別領域が、前記背側フラップ部の長手交差方向上に延出された第１の延出識別領域である。
また本発明に係る解決手段の一態様として、前記識別領域が、前記背側フラップ部の長手方向上に延出された第２の延出識別領域である。
また本発明に係る解決手段の一態様として、前記識別領域が、前記背側フラップ部における他の領域とは異なる配色を施された配色識別領域である。
また本発明に係る解決手段の一態様として、前記ペット用使い捨ておむつを前記ペットが装着している状態においては、前記背側フラップ部に設けられた前記識別領域が、前記腹側フラップ部における長手方向上の端部から突出している。
また本発明に係る解決手段の一態様として、前記背側フラップ部における前記識別領域の背側方向端部を通過するおむつ長手交差方向の仮想線である第１の仮想線と、前記背側フラップ部における前記止着領域の背側方向端部を通過するおむつ長手交差方向の仮想線である第２の仮想線と前記第１の仮想線と前記第２の仮想線とを結ぶおむつ長手方向の仮想線である第３の仮想線と、前記腹側フラップ部における前記止着手段の背側方向端部を通過するおむつ長手交差方向の仮想線である第４の仮想線と、前記腹側フラップ部における腹側方向端部を通過するおむつ長手交差方向の仮想線である第５の仮想線と、前記第４の仮想線と前記第５の仮想線とを結ぶおむつ長手方向の仮想線である第６の仮想線と、を有し、前記第３の仮想線の長さが、前記第６の仮想線の長さよりも長く形成されている。
また本発明に係る解決手段の一態様として、前記識別領域が、前記腹側フラップ部に設けられている。
また本発明に係る解決手段の一態様として、前記識別領域が、前記背側フラップ部の状態を確認するために前記腹側フラップ部に設けられた視認領域である。
また本発明に係る解決手段の一態様として、前記視認領域が、光線を透過することができる光線透過識別領域である。
また本発明に係る解決手段の一態様として、前記視認領域が、前記腹側フラップ部の腹側方向端部を切欠いて形成された切欠き識別領域である。
また本発明に係る解決手段の一態様として、前記視認領域が、前記腹側フラップ部を開口して形成された第１の開口識別領域である。
また本発明に係る解決手段の一態様として、前記視認領域が、前記腹側フラップ部を開口して形成された第２の開口領域と、該第２の開口領域を覆うとともに該第２の開口領域に対して開閉自在に形成された蓋領域とにより構成されている。
また本発明に係る解決手段の一態様として、前記識別領域が、前記背側フラップ部に設けられた背側フラップ部識別領域と、前記腹側フラップ部に設けられた腹側フラップ部領域とにより形成されている。
【発明の効果】
【００１５】
本発明では、ペット用使い捨ておむつの外部からの識別領域の視認情報に基づき、背側フラップ部の状態が異常であることを判別可能に構成されている。よって、使用者は背側フラップ部を正常な状態にて装着することができる。したがって、ペット用使い捨ておむつは、ペットの胴周りに対し良好にフィットする。
【図面の簡単な説明】
【００１６】
【図１】本発明の第１の実施形態に係るペット用使い捨ておむつを展開した状態の平面図である。
【図２】吸収コア非配置領域を示すペット用使い捨ておむつを展開した状態の平面図である。
【図３】止着部の構成を示す説明図である。
【図４】フラップ部の構成を示す説明図である。
【図５】背側フラップ部の構成を示す説明図である。
【図６】識別領域の構成を示す説明図である。
【図７】止着領域の構成を示す拡大図である。
【図８】止着領域の作用を示す説明図である。
【図９】腹側フラップ部の好適な構造を特定するための測定に係る説明図である。
【図１０】ペット用使い捨ておむつとペットの脚との関係を表わす説明図である。
【図１１】防漏シート固定部を示すペット用使い捨ておむつを展開した状態の平面図である。
【図１２】図１におけるＡ‐Ａ線断面図である。
【図１３】図１におけるＢ−Ｂ線断面図である。
【図１４】図１におけるＣ−Ｃ線断面図である。
【図１５】脚周り用伸縮性弾性部材と胴周り用伸縮性弾性部材の構成を表わす説明図である。
【図１６】脚周り用伸縮性弾性部材と胴周り用伸縮性弾性部材の作用を表わす説明図である。
【図１７】図１におけるＤ−Ｄ線断面図に係る説明図である。
【図１８】ペット用使い捨ておむつをペットに装着する際の背側胴周り域に係る説明図である。
【図１９】ペット用使い捨ておむつをペットに装着する際の腹側胴周り域に係る説明図である。
【図２０】ペット用使い捨ておむつをペットに装着した状態の説明図である。
【図２１】本発明の第２の実施形態に係るペット用使い捨ておむつの説明図である。
【図２２】本発明の第３の実施形態に係るペット用使い捨ておむつの説明図である。
【図２３】本発明の第４の実施形態に係るペット用使い捨ておむつの説明図である。
【図２４】本発明の第５の実施形態に係るペット用使い捨ておむつの説明図である。
【図２５】本発明の第６の実施形態に係るペット用使い捨ておむつの説明図である。
【図２６】本発明の第７の実施形態に係るペット用使い捨ておむつの説明図である。
【図２７】本発明の第７の実施形態に係るペット用使い捨ておむつの作用を示す説明図である。
【図２８】本発明の第８の実施形態に係るペット用使い捨ておむつの説明図である。
【図２９】本発明の第９の実施形態に係るペット用使い捨ておむつの説明図である。
【図３０】本発明の第１０の実施形態に係るペット用使い捨ておむつの説明図である。
【図３１】本発明の第１１の実施形態に係るペット用使い捨ておむつの説明図である。
【図３２】本発明の第１２の実施形態に係るペット用使い捨ておむつの説明図である。
【図３３】本発明の第１３の実施形態に係るペット用使い捨ておむつを展開した状態の平面図である。
【図３４】本発明の第１４の実施形態に係るペット用使い捨ておむつを展開した状態の平面図である。
【図３５】本発明の第１５の実施形態に係るペット用使い捨ておむつを展開した状態の平面図である。
【図３６】本発明の第１６の実施形態に係るペット用使い捨ておむつを展開した状態の平面図である。
【図３７】本発明の第１７の実施形態に係るペット用使い捨ておむつの拡大図である。
【図３８】本発明の第１７の実施形態に係るペット用使い捨ておむつの作用を示す説明図である。
【図３９】本発明の第１８の実施形態に係るペット用使い捨ておむつの拡大図である。
【図４０】本発明の第１９の実施形態に係るペット用使い捨ておむつの拡大図である。
【図４１】本発明の第２０の実施形態に係るペット用使い捨ておむつの拡大図である。
【図４２】本発明の第２１の実施形態に係るペット用使い捨ておむつを展開した状態の平面図である。
【図４３】本発明の第２２の実施形態に係るペット用使い捨ておむつを展開した状態の平面図である。
【図４４】本発明の第２３の実施形態に係るペット用使い捨ておむつを展開した状態の平面図である。
【図４５】本発明の第２４の実施形態に係るペット用使い捨ておむつを展開した状態の平面図である。
【図４６】本発明の第２５の実施形態に係るペット用使い捨ておむつを展開した状態の平面図である。
【図４７】本発明の第２６の実施形態に係るペット用使い捨ておむつを展開した状態の平面図である。
【図４８】本発明の第２７の実施形態に係るペット用使い捨ておむつを展開した状態の平面図である。
【図４９】本発明の第２８の実施形態に係るペット用使い捨ておむつを展開した状態の平面図である。
【図５０】本発明の第２９の実施形態に係るペット用使い捨ておむつを展開した状態の平面図である。
【図５１】従来技術のペット用使い捨ておむつを展開した状態の平面図である。
【図５２】従来技術のペット用使い捨ておむつをペットに装着した状態の説明図である。
【発明を実施するための最良の形態】
【００１７】
（第１の実施形態）
以下に、本発明の第１の実施形態を図１〜図２０により説明する。
【００１８】
図１はペット用使い捨ておむつを展開した状態の平面図である。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。本実施の形態において、「展開した状態」もしくは「展開状態」とは、ペットに装着されていない状態のペット用使い捨ておむつを解放し、伸縮性弾性部材の収縮力が発現していない状態を示す。
【００１９】
ペット用使い捨ておむつ１０は、腹側胴周り域１１０と、背側胴周り域１３０と、腹側胴周り域１１０と背側胴周り域１３０の間に配置される股下域１２０を有する。ペットがペット用使い捨ておむつ１０を着用した場合において、腹側胴周り域１１０はペットの腹に、背側胴周り域１３０はペットの背に、股下域１２０はペットの股下にそれぞれ当接される。
この腹側胴周り域１１０、背側胴周り域１３０、股下域１２０が、本発明に係る「背側胴周り域と、腹側胴周り域と、該背側胴周り域と腹側胴周り域の間に位置する股下域」のそれぞれ一例である。
【００２０】
ペット用使い捨ておむつ１０は、図１に示される展開状態において、腹側胴周り域１１０と股下域１２０と腹側胴周り域１３０が連続する方向であるおむつ長手方向Ｙと、おむつ長手方向Ｙと交差する方向であるおむつ長手交差方向Ｘとを有する。本明細書において「交差する」とは、特に説明を行わない限り「直交する」ことを示す。
このおむつ長手方向Ｙと、おむつ長手交差方向Ｘとが、本発明に係る「前記ペット用使い捨ておむつがペットに装着されていない状態において、前記背側胴周り域と前記股下域と前記腹側胴周り域が連続する方向であるおむつ長手方向と、該おむつ長手方向と交差する方向であるおむつ長手交差方向」の一例である。
【００２１】
ペット用使い捨ておむつ１０は、ペットに装着される側である内側表面１００Ｚ１と、この内側表面１００Ｚ１と反対側の表面である外側表面１００Ｚ２とを有する。
なお、本実施の形態において、内側表面１００Ｚ１をペット側表面、ペット装着面と記す場合がある。
【００２２】
ペット用使い捨ておむつ１０は、おむつ長手方向Ｙ上において、腹側胴周り域１１０に形成される端部１１０Ａと、背側胴周り域１３０に形成される端部１３０Ａを有する。
この腹側胴周り域１１０に形成される端部１１０Ａが、本発明に係る「前記おむつ長手方向上における腹側胴周り域端部」の一例である。
この背側胴周り域１３０に形成される端部１３０Ａが、本発明に係る「前記おむつ長手方向上における背側胴周り域端部」の一例である。
【００２３】
ペット用使い捨ておむつ１０は、おむつ長手交差方向Ｘ上において一対の端部１００Ａを有する。端部１００Ａは、腹側フラップ部１５０におけるおむつ長手交差方向上の端部１５０Ｂおよび背側端部１５０Ｃと、背側フラップ部１６０におけるおむつ長手交差方向上の端部１６０Ｂと、腹側フラップ部１５０の背側端部１５０Ｃと背側フラップ部１６０の長手交差方向上の端部１６０Ｂとの間に位置する脚周り端部１００Ａとに亘り連続される。
この端部１００Ａが本発明に係る「おむつ長手交差方向上における両端部」の一例である。
なお、背側フラップ部１６０におけるおむつ長手交差方向上の端部１６０Ｂは、側端部とも称される。
【００２４】
ペット用使い捨ておむつ１０は、おむつ長手方向Ｙの所定領域に尻尾挿通開口１９０を有する。尻尾挿通開口１９０は、内側表面１００Ｚ１と外側表面１００Ｚ２に亘り貫通する弧状の開口用切込み１９１により形成される。
なお、この第１の実施形態においては弧状の開口用切込み１９１により尻尾挿通開口１９０を形成したが、環状の切込みにより円形の開口を設けることもできる。
この尻尾挿通開口１９０が、本発明における「おむつ長手方向の所定領域に設けられた尻尾挿通開口」の一例である。
【００２５】
ペット用使い捨ておむつ１０は、おむつ長手方向Ｙに、尻尾挿通開口１９０の一方側に形成され、股下域１２０と腹側胴周り域１１０の所定領域に配置される吸収性コア２００を有する。吸収性コア２００は、腹側端部２１０と、背側端部２２０と、一対のおむつ長手交差方向側端部２３０とを有する。
吸収性コア２００は、粒子状や繊維状の高吸収性ポリマーとフラッフパルプとの混合物や、粒子状や繊維状の高吸収性ポリマーとフラッフパルプと熱可塑性剛性樹脂繊維との混合物により形成される。また、その型崩れや高吸収性ポリマーの脱落を防止するため、全体がティッシュペーパーや親水性繊維不織布等の透液性シートで被覆されることが好ましい。また、吸収性コア２００を、所定の厚みとすべく製造工程により圧縮することが好ましい。なお、高吸収性ポリマーは、合成ポリマー系、デンプン系、セルロース系などのものを適宜使用することができる。
この吸収性コア２００が、本発明に係る「おむつ長手方向において尻尾挿通開口の一方側に形成され、股下域と前記腹側胴周り域の所定領域に配置される吸収性コア」の一例である。
【００２６】
図２に示す通り、ペット用使い捨ておむつ１０において、吸収性コア２００が配置されていない領域は吸収性コア非配置領域１７０とされる。
吸収性コア非配置領域１７０において、吸収性コア２００の腹側端部２１０と、背側端部２２０と、ペット用使い捨ておむつ１０の背側端部１３０Ａと隣り合うそれぞれの領域は、後に説明する起立部７００を構成するための起立領域とされる。起立領域の内、吸収性コア２００の腹側端部２１０と隣り合う領域は、腹側起立領域１７１とされる。また、吸収性コア２００の背側端部２２０と隣り合う領域は、股下起立領域１７３とされる。また、ペット用使い捨ておむつ１０の背側端部１３０Ａと隣り合う領域は、背側起立領域１７２とされる。
【００２７】
なお、ペット用使い捨ておむつ１０の設計次第では、この吸収性コア非配置領域１７０の内、特に起立領域に吸収性コア２００の一部の構成が配置される場合がある。具体的には、ティッシュペーパーや、パルプ繊維もしくは高吸水性ポリマーの一部が配置される場合がある。そのような場合であっても、起立領域がその柔軟性を維持しており起立部７００を形成するのであれば、実質的には吸収性コア非配置領域１７０が形成されており、起立領域も同時に形成されているものとされる。
【００２８】
ペット用使い捨ておむつ１０は、腹側フラップ部１５０のおむつ長手交差方向上の両端部１５０Ａに、止着部３００を有する。
図３に示す通り、止着部３００は止着部長手方向３００Ｘと、止着部長手交差方向３００Ｙとを有する。止着部長手方向３００Ｘにおいては、止着部３００がペット用使い捨ておむつ１０に固定されている領域である固定部３２０と、止着領域９００に止着される自由部３１０とを有する。
【００２９】
止着部３００には、ポリオレフィン系の熱可塑性合成繊維から形成された繊維不織布またはポリオレフィン系の熱可塑性合成樹脂から形成されたプラスチックフィルムが使用される。自由部３１０におけるおむつ内側表面１００Ｚ１側には、多数のフック（図示せず）が取り付けられている。フックは、ポリオレフィン系の熱可塑性合成樹脂から形成されている。なお、このフックは止着領域９００に止着するための構成であるが、止着領域９００の構造によっては他の構成を選択することができる。例えば、フックではなく粘着剤を使用することができる。
この止着部３００が、本発明に係る「前記腹側胴周り域に設けられるとともに所定の長さを有する止着部」の一例である。
【００３０】
ペット用使い捨ておむつ１０は、フラップ部１４０Ａを有する。フラップ部１４０Ａは、おむつ長手交差方向上の両端部１００Ａにおける腹側胴周り域１１０のおむつ長手交差方向に設けられた一対の腹側フラップ部１５０と、おむつ長手交差方向上の両端部１００Ａにおける背側胴周り域１３０のおむつ長手交差方向上に設けられた一対の背側フラップ部１６０とにより構成される。フラップ部１４０Ａは、ペット用使い捨ておむつ１０のおむつ長手交差方向上の端部１００Ａ同士を結んだおむつ長手交差方向Ｘ上における直線の内、最も短い箇所である端部１００Ａ上の点である最短幅点１００ＡＰを通過するおむつ長手方向上の仮想線１００Ｙ１により規定される。すなわちこの仮想線１００Ｙ１はフラップ境界線とされ、一対のフラップ境界線１００Ｙ１よりも外側の領域がフラップ部（腹側フラップ部１５０、背側フラップ部１６０）とされる。一方、一対のフラップ境界線１００Ｙ１同士の内側の領域が本体部１４０Ｂとされる。なお、このフラップ境界線１００Ｙ１自体は、おむつ長手方向上の任意の直線である基準仮想直線とすることもできる。
この腹側フラップ部１５０が、本発明に係る「前記腹側胴周り域に設けられる腹側フラップ部」の一例である。
この背側フラップ部１６０が、本発明に係る「前記背側胴周り域に設けられる背側フラップ部」の一例である。
【００３１】
次にフラップ部１４０Ａの構成につき、図４に基づき説明する。なお図４は、腹側フラップ部１５０と背側フラップ部１６０とを比較するために、フラップ境界線１００Ｙ１を基準とし、腹側フラップ部１５０と背側フラップ部１６０を上下に並べたものである。
まず、フラップ部１４０Ａのおむつ長手交差方向Ｘにおける長さを定義する。一対のフラップ部１４０Ａにおけるおむつ長手交差方向上の端部同士を結んだおむつ長手交差方向Ｘにおける直線の内、最も長い直線となる一対のフラップ部１４０Ａにおけるおむつ長手交差方向上の点として最大幅点を規定する。この最大幅点は、腹側フラップ部１５０における最大幅点１５０ＡＰとして図示され、背側フラップ部１６０における最大幅点１６０ＡＰとして図示される。
次に、フラップ境界線１００Ｙ１からこの最大幅点までのおむつ長手交差方向Ｘまでの最短距離を測定し、これをフラップ部１４０Ａにおけるおむつ長手交差方向Ｘの長さとする。このフラップ部１４０Ａにおけるおむつ長手交差方向Ｘの長さとして、腹側フラップ部１５０の長さが１５０Ｌとして図示され、背側フラップ部１６０の長さが１６０Ｌとして図示される。
本発明において、腹側フラップ部１５０の長さＬ１５０と、背側フラップ部１６０の長さ１６０Ｌとは、異なった長さとされている。
このような構成とすることにより、腹側フラップ部１５０と背側フラップ部１６０の内のどちらか一方のおむつ長手交差方向Ｘにおける長さを短くすることができる。その結果、短い方のフラップ部１４０Ａの折れ曲りが生ずる可能性を減少することができる。
ここで、本実施の形態における「折れ曲り」とは、フラップ部１４０Ａにおける内側表面１００Ｚ１同士が接触する状態、フラップ部１４０Ａにおける外側表面１００Ｚ２同士が接触する場合、もしくは、ペット用使い捨ておむつ１０がペットαに対してフィット性を損なうほどにフラップ部１４０Ａに皺が入っている状態をしめす。
なお、本発明に係る第１の実施形態においては、背側フラップ部１６０の長さ１６０Ｌが、腹側フラップ部１５０の長さ１５０Ｌよりも短く構成されている。
【００３２】
次に図５に基づき、背側フラップ部１６０の構成を説明する。
背側フラップ部１６０の側端部１６０Ｂは、おむつ長手交差方向Ｘにおけるフラップ部境界線１００Ｙ１から側端部１６０Ｂまでの距離が、測定位置毎に異なる形状とされている。
この結果、背側フラップ部の側端部１６０Ｂの形状は、前記おむつ長手方向Ｙに関して暫時異なるように形成されている。
本実施の形態において、背側フラップ部１６０における側端部１６０Ｂの具体的な形状は、円弧状の曲線とされている。なお、本実施の形態において「円弧状」とは、必ずしも正円における円弧を示すものではない。例えば、楕円における円弧を含み、また、正円における円弧と楕円における円弧の組み合わせとすることもできる。すなわち、本実施の形態における「円弧状」とは、「直線状ではない」と換言することができる。
背側フラップ部１６０における側端部１６０Ｂの形状をこのように構成することにより、使用者が背側フラップ部１６０を把持した場合、その触感により側端部１６０Ｂのどの部分を把持しているかを確認することができる。
【００３３】
背側フラップ部１６０における側端部１６０Ｂの中央領域は、フラップ部境界線１００Ｙ１と側端部１６０Ｂとの間の距離が最大となる極大領域１６０Ｂ１が形成されている。本実施の態様において「中央領域」とは、特に背側フラップ部１６０における背側端部１６０Ａが延出されて後述する識別領域１０Ａが形成されている場合、この識別領域１０Ａを含まない領域を示すものである。
この極大領域１６０Ｂ１は、具体的には、背側フラップ部１６０における側端部１６０Ｂが、極大領域１６０Ｂ１を最大値とするような円弧状曲線により形成されることにより構成される。
極大領域１６０Ｂ１を形成したことにより、使用者が背側フラップ部１６０を把持した場合、その触感により側端部１６０Ｂのどの部分を把持しているかをさらに容易に確認することができる。
【００３４】
この極大領域１６０Ｂ１を通過するおむつ長手交差方向Ｘにおける仮想線１６０Ｂ１１上に、後述する止着領域９００が設けられる。
具体的には、極大領域１６０Ｂ１を通過するおむつ長手交差方向Ｘにおける仮想線１６０Ｂ１１上に、後述する止着領域９００における第２の止着領域９００Ｂが配置される。
このような極大領域１６０Ｂ１と止着領域９００の関係により、使用者は腹側フラップ部１５０の止着部３００と、背側フラップ部１６０の止着領域９００との位置決めが容易となる。すなわち、使用者が背側フラップ部１６０を把持した場合、極大領域１６０Ｂ１を認識することにより、止着領域９００の位置を同時に認識することができる。
【００３５】
さらに、背側フラップ部１６０の側端部１６０Ｂの形状と、止着領域９００におけるおむつ長手交差方向Ｘ上の端部９００ＢＢの形状が異なっている。なお、止着領域９００におけるおむつ長手交差方向Ｘ上の端部は、「側端部」とも称される。
具体的には、背側フラップ部１６０の側端部１６０Ｂの形状が曲線状であるのに対し、第２の止着領域９００Ｂにおける側端部９００ＢＢの形状は、おむつ長手方向Ｙと平行である直線状とされている。
このような背側フラップ部１６０の側端部１６０Ｂと、止着領域９００の側端部９００ＢＢとの関係により、使用者は腹側フラップ部１５０の止着鵜３００と、背側フラップ部１６０の止着領域９００との位置決めが容易となる。すなわち、使用者が背側フラップ部１６０を把持した場合、極大領域１６０Ｂ１を認識することにより、止着領域９００の位置を同時に認識することができる。さらに、背側フラップ部１６０の側端部１６０Ｂの側端部と、止着領域９００の側端部９００ＢＢの形状が異なることから、止着領域９００の側端部９００ＢＢの位置そのものや、止着領域９００におけるおむつ長手交差方向Ｘ上の位置を容易に認識することができる。
【００３６】
フラップ部１４０Ａには、識別領域１０Ａが形成される。この識別領域１０Ａは、ペット用使い捨ておむつ１０をペットαに装着した状態において、ペット用使い捨ておむつ１０を外部から視認した場合、背側フラップ１６０の状態が異常であることを判別するために設けるものである。
この識別領域１０Ａが、本発明に係る「前記背側フラップ部と前記腹側フラップ部の少なくとも一方は識別領域を有し、前記ペット用使い捨ておむつの外部からの前記識別領域の視認情報に基づき、前記背側フラップ部の状態が異常であることを判別可能に構成されている」の一例である。
この際、本実施の形態においては、識別領域１０Ａがペット用使い捨ておむつ１０の外部から視認できる場合は「背側フラップ部１６０の状態が正常である」とする。また、識別領域１０Ａがペット用使い捨ておむつ１０の外部から視認できない場合は「背側フラップ部１６０の状態が異常である」とする。なお、本実施の形態において「識別領域１０Ａが視認できる」とは、必ずしも「識別領域１０Ａの全体が視認される」ことのみを示すものではない。すなわち、「識別領域１０Ａの一部を視認する」ことにより、背側フラップ部１６０の状態が正常もしくは異常であることが認識できれば、それで足りるものである。
これが、本発明に係る「前記識別領域が前記ペット用使い捨ておむつの外部から視認できる場合は前記背側フラップ部の状態を正常とし、前記識別領域が前記ペット用使い捨ておむつの外部から視認できない場合は前記背側フラップ部の状態を異常とする」の一例である。
なお、背側フラップ部１６０の状態が「正常」とは、ペット用使い捨ておむつ１０をペットαに装着した状態において、背側フラップ部１６０が折れ曲っていない状態を示す。また、なお、背側フラップ部１６０の状態が「異常」とは、ペット用使い捨ておむつ１０をペットαに装着した状態において、背側フラップ部１６０が折れ曲っている状態を示す。
これが、本発明に係る「前記背側フラップ部の状態が正常とはペット用使い捨ておむつをペットに装着した状態において前記背側フラップ部が折れ曲っていない状態であり、前記背側フラップ部の状態が異常とはペット用使い捨ておむつをペットに装着した状態において前記背側フラップ部の少なくとも一部が折れ曲っている状態である」の一例である。
【００３７】
次に、識別領域１０Ａの具体的な構成につき説明する。
本実施の形態において、識別領域１０Ａは背側フラップ部１６０に設けられる。これが、本発明に係る「前記識別領域が、前記背側フラップ部に設けられている」の一例である。
識別領域１０Ａは、背側フラップ１６０のおむつ長手方向Ｙ上の端部１６０Ａと、この端部１６０Ａに隣接する側端部１６０Ｂの領域を、おむつ長手交差方向Ｘに延出することにより形成されている。この、背側フラップ１６０における側端部１６０Ｂの所定領域が延出されることにより形成された識別領域１０Ａを、第１の延出識別領域１０Ａ１とする。
これが、本発明に係る「前記識別領域が、前記背側フラップ部の長手交差方向上に延出された第１の延出識別領域である」の一例である。
【００３８】
この識別領域１０Ａは、ペット用使い捨ておむつ１０をペットαに装着した場合において、腹側フラップ１５０部におけるおむつ長手方向Ｙ上の端部１５０Ａから突出されるべく構成される。
これが、本発明に係る「前記ペット用使い捨ておむつを前記ペットが装着している状態においては、前記背側フラップ部に設けられた前記識別領域が、前記腹側フラップ部における長手方向上の端部から突出している」の一例である。
このように、腹側フラップ部１５０の端部１５０Ａから、識別領域１０Ａが突出する構成に係る具体的な構造を図６に基づき説明する。
図６においては、腹側フラップ部１５０と、背側フラップ部１６０における識別領域１０Ａとの関係が判りやすいよう、腹側フラップ部１５０と背側フラップ部１６０とを並列して示すものである。
まず、背側フラップ１６０において、識別領域１０Ａにおけるおむつ長手方向Ｙ上の端部を通過する、おむつ長手交差方向Ｘにおける仮想線を第１の仮想線１０Ａ１１とする。
この第１の仮想線１０Ａ１１が、本発明に係る「前記背側フラップ部における前記識別領域の背側方向端部を通過するおむつ長手交差方向の仮想線である第１の仮想線」の一例である。
次に、背側フラップ１６０において、止着領域９００における第２の止着領域９００Ｂの背側方向端部９００ＢＣを通過する、おむつ長手交差方向Ｘにおける仮想線を第２の仮想線９００ＢＣ１とする。
この第２の仮想線９００ＢＣ１が、本発明に係る「前記背側フラップ部における前記止着領域の背側方向端部を通過するおむつ長手交差方向の仮想線である第２の仮想線」の一例である。
次に、第１の仮想線１０Ａ１１と、第２の仮想線９００ＢＣ１とを結ぶおむつ長手方向Ｙにおける仮想線を、第３の仮想線Ｄ１６０とする。
この第３の仮想線Ｄ１６０が、本発明に係る「前記第１の仮想線と前記第２の仮想線とを結ぶおむつ長手方向の仮想線である第３の仮想線」の一例である。
次に、腹側フラップ１５０において、止着手段３００の背側方向端部３００Ｃを通過するおむつ長手交差方向Ｘにおける仮想線を、第４の仮想線３００Ｃ１とする。
この第４の仮想線３００Ｃ１が、本発明に係る「前記腹側フラップ部における前記止着手段の背側方向端部を通過するおむつ長手交差方向の仮想線である第４の仮想線」の一例である。
次に、腹側フラップ部１５０の腹側方向端部１５０Ａを通過するおむつ長手交差方向Ｘにおける仮想線を、第５の仮想線１５０Ａ１とする。
この第５の仮想線１５０Ａ１が、本発明に係る「前記腹側フラップ部における腹側方向端部を通過するおむつ長手交差方向の仮想線である第５の仮想線」の一例である。
次に、第４の仮想線３００Ｃ１と、第５の仮想線１５０Ａ１とを結ぶおむつ長手方向Ｙにおける仮想線を、第６の仮想線Ｄ１５０とする。
この第６の仮想線Ｄ１５０が、本発明に係る「前記第４の仮想線と前記第５の仮想線とを結ぶおむつ長手方向の仮想線である第６の仮想線」の一例である。
そして、第３の仮想線Ｄ１６０の長さが、第６の仮想線Ｄ１５０の長さよりも長く形成されている。
この第３の仮想線Ｄ１６０と第６の仮想線Ｄ１５０との関係が、本発明に係る「前記第３の仮想線の長さが、前記第６の仮想線の長さよりも長く形成されている」の一例である。
このように第３の仮想線Ｄ１６０の長さを第６の仮想線Ｄ１５０の長さよりも長く形成した場合、識別領域１０Ａの確認が容易となる。
すなわち、ペット用使い捨ておむつ１０をペットαに装着した場合、背側フラップ部１６０における止着領域９００の第２の止着領域９００Ｂのどの位置に対し、腹側フラップ部１５０における止着部３００の固定部３１０を止着しても、識別領域１０Ａは必ず腹側フラップ部１５０の腹側方向端部１５０Ａから突出することとなる。
【００３９】
次に、止着領域９００の説明を行う。まず、図１に基づき、止着領域９００の基本構成につき説明する。
止着領域９００は、ペット用使い捨ておむつ１０における少なくとも背側胴周り域１３０に設けられ、止着部３００の自由部３１０に配置されたフック部に着脱自在に係止される。
この止着領域９００が、本発明に係る「前記背側胴周り領域に設けられるとともに前記止着部を受ける止着領域」の一例である。
止着領域９００は、ペット用使い捨ておむつ１０の外側表面１００Ｚ２を形成する外層シート９３０として、止着部３００のフック部に着脱資材に係止することができる構成の不織布を使用している。この止着部３００のフック部に着脱自在に係止することができる構成の不織布により、第１の止着領域９００Ａが構成されている。
第１の止着領域９００Ａは、吸収性コア非配置領域１７０に設けられる。すなわち、第１の止着領域９００Ａはペットαの背側に配置される。一方、ペットαの種類によっては、背側の傾斜が大きいものである。よって、ペットαの背中にフィットさせるためには、止着部３００を係止する領域である止着領域９００をフレキシブルな構成とする必要がある。
なお、ペット用使い捨ておむつ１０の背側胴周り域１３０における吸収性コア非配置領域１７０の、前記おむつ長手交差方向に、後述する背側胴周り用伸縮性弾性部材５２０が配置される。背側胴周り用伸縮性弾性部材５２０は、具体的にはペット用使い捨ておむつ１０の背側端部１３０Ａ付近に、伸長状態にて配置される。
ペット用使い捨ておむつ１０をペットに装着する場合、背側胴周り用伸縮性弾性部材５２０は収縮する。この結果、後述の第１の背側湾曲部５４２を形成する。よって、ペット用使い捨ておむつ１０の背側胴周り域１３０を、よりペットαに装着しやすいこととなる。
【００４０】
なお、第１の止着領域９００Ａと止着部３００の係合力は１．１〜４．２Ｎの範囲であることが望ましい。
なお、前記第１の止着領域９００Ａにおける外側表面１００Ｚ２には、第１の止着領域９００Ａよりも止着部３００のフック部との係合力が高く形成された第２の止着領域９００Ｂが配置されている。
第２の止着領域９００Ｂは、具体的には、ポリオレフィン系の熱可塑性合成樹脂繊維から形成された繊維不織布またはポリオレフィン系の熱可塑性合成樹脂から形成されたプラスチックフィルムに、ポリオレフィン系の熱可塑性合成樹脂からなる多数のループ（図示せず）を取り付けたターゲットテープにより構成される。
このように構成することにより、ペット用使い捨ておむつ１０のペットαへの装着がより強固となる。
すなわち、使用者がペット用使い捨ておむつ１０をペットαに装着する場合、止着部３００のフック部の一部のみを第２の止着領域９００Ｂ（ターゲットテープ）に止着する場合がある。このような場合であっても、第２の止着領域９００Ｂに止着されないフック部は、第１の止着領域９００Ａに止着する。よって、どのような状況においても止着部３００のフックは、第１の止着領域９００Ａもしくは第２の止着領域９００Ｂのいずれかに止着するため、ペット用使い捨ておむつ１０のペットαへの撞着を確実なものとすることができる。
【００４１】
次に、第１の止着領域９００Ａの構成を、図７および図８に基づき説明する。
図７は、第１の止着領域９００Ａを拡大した説明図である。図８は、第１の止着領域９００Ａに形成された囲繞部９３０Ｄを拡大した説明図である。
第１の止着領域９００Ａを構成する外層シート９３０には、熱可塑性繊維が使用されている。
外層シート９３０は、第１の方向に延びるとともに、熱可塑性繊維が溶融されて形成された第１の溶着部９３０Ａを有する。
この第１の溶着部９３０Ａは、複数形成されることにより第１の溶着部群９３０ＡＡを構成する。
さらに第１の溶着部９３０Ａは、隣り合う一対の第１の溶着部９３０Ａにより、第１の隣接溶着部群９３０ＡＢを構成する。
外層シート９３０は、第１の方向と交差する方向である第２の方向に延びるとともに、熱可塑性繊維が溶融されて形成された第２の溶着部９３０Ｂを有する。なお、この「交差」とは、必ずしも直交を意味しないものである。
この第２の溶着部９３０Ｂは、複数形成されることにより第２の溶着部群９３０ＢＡを構成する。
さらに第２の溶着部９３０Ｂは、隣り合う一対の第２の溶着部９３０Ｂにより、第２の隣接溶着部群９３０ＢＢを構成する。
第１の隣接溶着部群９３０ＡＢと、第２の隣接溶着部群９３０ＢＢが交差することにより囲まれた領域に、平行四辺形の囲繞部９３０Ｄが形成される。この場合、「平行四辺形」とは、正方形や長方形を含むものである。
外層シート９３０は、前記第１の方向および前記第２の方向と交差する方向である第３の方向に延びるとともに、前記熱可塑性繊維が溶融されて形成され、囲繞部９３０Ｄ内に配置される第３の溶着部９３０Ｃを有する。なお、この「交差」とは、必ずしも直交を意味しないものである。
この第３の溶着部９３０Ｃは、複数形成されることにより第３の溶着部群９３０ＣＡを構成する。
さらに第３の溶着部９３０Ｃは、隣り合う一対の第３の溶着部９３０Ｃにより、第３の隣接溶着部群９３０ＣＢを構成する。
第１の溶着部９３０Ａと第３の溶着部９３０Ｃとの間には、溶着されていない熱可塑性繊維により、第１のループ部９３０Ｌ１が形成される。すなわち、第１のループ部９３０Ｌ１は、その両端部が第１の溶着部９３０Ａと第３の溶着部９３０Ｃとに固定されているともに、この両端部間の繊維にてループが形成されてなるものである。この第１のループ部９３０Ｌ１は、係止部３００のフック部に着脱自在に係止される。
第２の溶着部９３０Ｂと第３の溶着部９３０Ｃとの間には、溶着されていない熱可塑性繊維により、第２のループ部９３０Ｌ２が形成される。すなわち、第２のループ部９３０Ｌ２は、その両端部が第２の溶着部９３０Ｂと第３の溶着部９３０Ｃとに固定されているともに、この両端部間の繊維にてループが形成されてなるものである。この第２のループ部９３０Ｌ２は、係止部３００のフック部に着脱自在に係止される。
【００４２】
囲繞部９３０Ｄは平行四辺形であるため、第１の対角線９３０Ｄ１と第２の対角線９３０Ｄ２とを有する。また、囲繞部９３０Ｄは、第３の溶着部９３０Ｃにより第１の囲繞部９３０ＤＡと、第２の囲繞部９３０ＤＢとに分けられる。
第３の溶着部９３０Ｃが延びる方向である第３の方向は、囲繞部９３０Ｄを形成する平行四辺形の対角線の内、いずれか一方の対角線と平行であることが好ましい。
この場合、さらに、第３の溶着部９３０Ｃが、囲繞部９３０Ｄを形成する平行四辺形の対角線の内、いずれか一方の対角線上に形成されていることが好ましい。本実施形態においては、第３の溶着部９３０Ｃは、囲繞部９３０Ｄの第１の対角線９３０Ｄ１上に配置されている。このように第３の溶着部９３０Ｃを囲繞部９３０Ｄの対角線上に配置した場合は、第１の囲繞部９３０ＤＡと第２の囲繞部９３０ＤＢが同一の大きさとなる。よって、第１の囲繞部９３０ＤＡと第２の囲繞部９３０ＤＢとにそれぞれ形成される第１のループ部９３０Ｌ１および第２のループ部９３０Ｌ２の大きさを、第１の囲繞部９３０ＤＡと第２の囲繞部９３０ＤＢとで均一化することができる。
なお、囲繞部９３０Ｄは、第１の辺９３０Ｄ３と、第２の辺９３０Ｄ４とを有する。一般的に使用されている止着部３００のフック部に対し良好な止着状態を得るため、囲繞部９３０Ｄの第１の辺９３０Ｄ３の長さＤ９３０Ｄ３と、第２の辺９３０Ｄ４の長さＤ９３０Ｄ４は、それぞれ２〜１０ｍｍの範囲にあることが好ましい。
【００４３】
本実施の形態において、第１の溶着部９３０Ａは連続した線状にて形成されており、第１の溶着連続線９３０Ａ１とされている。
本実施の形態において、第２の溶着部９３０Ｂは連続した線状にて形成されており、第２の溶着連続線９３０Ｂ１とされている。
本実施の形態において、第３の溶着部９３０Ｃは連続した線状にて形成されており、第３の溶着連続線９３０Ｃ１とされている。
【００４４】
なお、第１の溶着部９３０Ａと、第２の溶着部９３０Ｂの幅は、０．２〜２ｍｍの範囲が好ましい。第３の溶着部９３０Ｃの幅は、０．２〜５ｍｍの範囲が好ましい。第３の隣接溶着部を構成する一対の第３の溶着部９３０Ｃ同士の間隔は、２〜１０ｍｍの範囲にあることが好ましい。第１の溶着部９３０Ａの幅と、第２の溶着部９３０Ｂの幅と、第３の隣接溶着部を構成する一対の第３の溶着部９３０Ｃ同士の間隔がこのような数値であると、ペット用使い捨ておむつ１０の外側表面１００Ｚ２を構成する外層シート９３０としての柔軟性や風合いを損なわない。
【００４５】
次に、第１の止着領域９００Ａの作用につき説明する。
使用者がペット用使い捨ておむつ１０をペットαに装着するために、止着部３００のフック部を、第１の止着領域９００Ａに取り付ける。この場合、止着部３００のフック部が、第１のループ部９３０Ｌ１と第２のループ部９３０Ｌ２の少なくとも一方に係合する。
止着部３００に剪断力が生じた場合、止着部３００のフック部に係合した第１のループ部９３０Ｌ１、第２のループ部９３０Ｌ２がフック部の移動に伴い移動する。一方、第１のループ部９３０Ｌ１の両端部は第１の溶着部９３０Ａと第３の溶着部９３０Ｂとにより固定されており、第２のループ部９３０Ｌ２の両端部は第２の溶着部９３０Ｂと第３の溶着部９３０Ｃとにより固定されている。よって、第１のループ部９３０Ｌ１と第２のループ部９３０Ｌ２との移動は拘束されているため、フック部との係止状態が解除されにくいものである。
【００４６】
第１の止着領域９００Ａを構成する外層シート９３０は、１−３ｄｔｅｘの繊度を有する熱可塑性繊維のフィラメントまたはステープルの集合体であり、より好ましくはフィラメントの集合体である。ステープルは、その長さが後述する囲繞部９３０Ｄにおける最大辺の長さの少なくとも２倍であるものが好ましい。具体的には、５０ｍｍ以上のものが好ましい。
外層シート９３０は、１５〜４０ｇ／ｍ２ の単位面積当たり質量を有する。
外層シート９３０は、このようなフィラメントもしくはステープルの集合体に、後述する第１の溶着部９３０Ａ、第２の溶着部９３０Ｂ、第３の溶着部９３０Ｃを形成することにより不織布としての形態を有することができる。一方、このような不織布の形態に代えて、サーマルボンド不織布等の不織布に第１の溶着部９３０Ａ、第２の溶着部９３０Ｂ、第３の溶着部９３０Ｃを形成することもできる。
【００４７】
第１の止着領域９００Ａである外層シート９３０の形成にあっては、まず、外層シート９３０となるべき熱可塑性繊維の集合体によるウェブを得る。
そのウェブを一方向に連続的に供給しながら、加熱されたエンボス加工ロールによって局所的な圧力を加える。加熱されたエンボス加工ロールにより熱可塑性繊維が溶着され、第１の溶着部９３０Ａと、第２の溶着部９３０Ｂと、第３の溶着部９３０Ｃが形成される。この第１の溶着部９３０Ａと、第２の溶着部９３０Ｂと、第３の溶着部９３０Ｃとによりウェブが固定され、外層シート９３０が得られる。
【００４８】
エンボス加工ロールは、熱可塑性繊維が溶融する温度にまで加熱された状態で使用される。そのようにして得られる第１の溶着部９３０Ａと、第２の溶着部９３０Ｂと、第３の溶着部９３０Ｃとは、熱可塑性繊維同士が互いに分離することのできない程度にまで溶着されている。
このように、第１の溶着部９３０Ａと、第２の溶着部９３０Ｂと、第３の溶着部９３０Ｃとはエンボス加工ロールにより形成される。よって、第１の溶着部９３０Ａと、第２の溶着部９３０Ｂと、第３の溶着部９３０Ｃとは、これらが形成されていない外層シート９３０の箇所と比して窪んだ状態となる。
従って、外層シート９３０を使用しペット用使い捨ておむつ１０を形成した場合、第１の溶着部９３０Ａと、第２の溶着部９３０Ｂと、第３の溶着部９３０Ｃとは、止着領域９００の外側表面１００Ｚ２から窪んだ状態となる。
すなわち、第１の溶着部９３０Ａと、第２の溶着部９３０Ｂと、第３の溶着部９３０Ｃが形成されていない領域である囲繞部９３０Ｄは、止着領域９００における第１の止着部９００Ａの外側表面１００Ｚ２において、突出した部分を形成すると言える。
よって、止着部３００のフック部を第１の止着部９００Ａに止着する場合、使用者は容易に作業を行えるものである。
【００４９】
次に、腹側フラップ部１５０の構成につき説明する。
図３に示す通り、腹側フラップ部１５０においては、そのおむつ長手交差方向上の端部１５０Ｂから止着部３００の自由端３１０が突出される。この端部１５０Ｂと止着部３００の境界において、止着部３００における止着部長手交差方向３００Ｙを２分した点が止着部中間点３００Ｐ１とされる。
また、腹側フラップ部１５０の背側端部１５０Ｃは弧状であり、腹側フラップ部１５０のおむつ長手交差方向上の端部１５０Ｂから脚周り端部１２０Ａにわたり連続する。
【００５０】
次に腹側フラップ部１５０として好適な構造を、図９〜図１０に基づき説明する。
図９において、おむつ長手方向中心線１００Ｙ２は、ペット用使い捨ておむつ１０におけるおむつ長手交差方向Ｘの中心を通過する。つまり、おむつ長手方向中心線１００Ｙ２は、ペット用使い捨ておむつ１０の腹側端部１１０Ａを２分した位置である腹側端部中心点１１０ＡＰと、背側端部１３０Ａを２分した位置である背側中心点１３０ＡＰとを結ぶ線上に位置する。
さらに、おむつ長手方向中心線１００Ｙ２上における、腹側端部１１０Ａと背側端部１３０Ａとを結んだ長さがおむつ長手方向長さＤ１とされる。
さらに、おむつ長手方向長さＤ１を２分した位置が、おむつ中心点１００Ｐとされる。
【００５１】
本発明の発明者は、腹側フラップ１５０を構成するにあたり、止着部３００の止着部中心点３００Ｐ１とおむつ長手方向中心線１００Ｙ２とを結んだ直線と、腹側フラップ部１５０の背側端部１５０Ｃの形状との関係に着目し、鋭意検討を行った。
特に、止着部３００の止着部中心点３００Ｐ１からおむつ長手方向中心線１００Ｙ２に伸ばした直線の内、腹側フラップ部１５０の背側端部１５０Ｃを経由した最短の直線距離３００Ｌと、おむつ中心点１００Ｐとが交わる点である最短直線点３００Ｐ２との関係に着目した。
その結果、最短直線点３００Ｐ２が、おむつ中心点１００Ｐよりもペット用使い捨ておむつ１０の腹側端部１１０Ａ方向にある場合、腹側フラップ１５０として好適な構成となることを見出した。
【００５２】
すなわち、最短直線点３００Ｐ２の位置は、腹側フラップ１５０の背側端部１５０Ｃの形状と大きな関係がある。背側端部１５０Ｃは、前述の如く弧状とされ、フラップ部１５０の長手交差方向端部１５０Ｂと、ペット用使い捨ておむつ１０の脚周り端部１２０Ａに亘り形成される。
この点、最短直線点３００Ｐがおむつ中心点よりも背側胴周り域１３０側に位置する場合を仮定する。この場合、腹側フラップ部１５０の背側端部１５０Ｃと脚周り端部１２０Ａとの接続位置は、本発明に係る構成よりも背側胴周り域１３０側となる。この結果、腹側フラップ部１５０の面積は大きくなる。よって、ペット用使い捨ておむつ１０をペットαに着用した場合、腹側フラップ部１５０がペットの脚Α１に接触する長さが長くなる。
一方、本発明に係る最短直線点３００Ｐ２の位置であると、図１０に示す通り、腹側フラップ１５０の面積を小さくすることができ、腹側フラップ部１５０の背側端部１５０Ｃとペットの脚α１とが接触する長さを減ずることができる。
【００５３】
ペット用使い捨ておむつ１０は、様々な大きさのペットに対応し、様々な大きさのものが提供されている。ここで、ペットを犬または猫と限定する。この場合、最短直線点３００Ｐ２と、ペット用使い捨ておむつ１０の腹側端部中心点１１０ＡＰとを結んだ距離である測定長さＤ２が１７０ｍｍ〜２５０ｍｍとすると、いずれの大きさのペット用使い捨ておむつ１０であっても、好適な腹側フラップ部１５０とすることができる。
【００５４】
さらに、測定長さＤ２と、ペット用使い捨ておむつ１０のおむつ長手方向長さＤ１との関係についても検討を行った。この結果、おむつ長手方向長さＤ１に対する測定長さＤ２の割合が、４５．５％〜５０．０％であると、いずれの大きさのペット用使い捨ておむつ１０であっても、好適な腹側フラップ部１５０とすることができる。
【００５５】
ペット用使い捨ておむつ１０において、おむつ長手交差方向上の端部１００Ａと吸収性コア２００との間における吸収性コア非配置領域１７０には、脚周り用伸縮性弾性部材４００が配置される。
この脚周り用伸縮性弾性部材４００は伸長状態にて配置される。一方、ペット用使い捨ておむつ１０を使用する場合、収縮して後述する脚周りギャザー４１０を形成する。
この脚周り用伸縮性弾性部材４００は、ペット用使い捨ておむつ１０の腹側端部１１０Ａから背側端部１３０Ａに亘り、おむつ長手方向Ｙに沿って配置される。
【００５６】
ここで、ペット用使い捨ておむつ１０の「腹側端部１１０Ａから背側端部１３０Ａに亘り」の意味は、脚周り用伸縮性弾性部材４００が腹側端部１１０Ａの末端から背側端部１３０Ａの末端まで連続的に存在することのみを指すものではない。すなわち、脚周り用伸縮性弾性部材４００が、腹側端部１１０Ａもしくは背側端部１３０Ａの末端から距離を空けて存在していたとしても、その収縮力が腹側端部１１０Ａもしくは背側端部１３０Ａに影響を及ぼし起立部７００を形成すればよい。
脚周り用弾性部材４００は、糸状の合成ゴムや天然ゴムにより構成される。
【００５７】
ペット用使い捨ておむつ１０は、胴周り用伸縮性弾性部材５００を有する。この腰周り用伸縮性弾性部材５００は、おむつ長手方向上の端部１１０Ａと吸収性コア２００の腹側端部２１０との間における吸収性コア非配置領域１７０に配置された腹側胴周り用伸縮性弾性部材５１０と、おむつ長手方向上の端部１３０Ａと吸収性コア２００の背側端部２２０との間における吸収性コア非配置領域１７０に配置された背側胴周り用伸縮性弾性部材５２０とにより構成される。
胴周り用伸縮性弾性部材５００は伸長状態にて配置される。一方、ペット用使い捨ておむつ１０を使用する場合、収縮して胴周りギャザー５３０を形成する。
【００５８】
胴周り用伸縮性弾性部材５００と脚周り用伸縮性弾性部材４００とは、重ねられて配置される。ここで、本実施の形態における「重ねる」の意味は、胴周り用伸縮性弾性部材５００と脚周り用伸縮性弾性部材４００が直接接していることのみを指すものではない。すなわち、胴周り用伸縮性弾性部材５００と脚周り用伸縮性弾性部材４００とが直接接していない場合であっても、それぞれの収縮力が互いに影響を及ぼし、収縮力交差領域１８０を形成すればよい。
胴周り用弾性部材５００は、ウレタン製の発泡シート材により構成される。
【００５９】
ペット用使い捨ておむつ１０は、防漏シート８００を有する。
防漏シート８００には、防漏シート用伸縮性弾性部材６００が伸長状態にて配置されている。
防漏シート８００は、ペット用使い捨ておむつ１０の長手交差方向上の端部１００Ａからペット用使い捨ておむつ１０の本体部１４０Ｂに亘る所定の領域に配置される。
防漏シート用伸縮性弾性部材６００は、防漏シート８００の内側端部の折り返し部８１０により生ずる空間内に配置され、おむつ長手方向Ｙに沿って延在される。
【００６０】
図１１に示す通り、防漏シート８００は、接着剤（図示しない）によりペット用使い捨ておむつ１０の他の構成部品（液透過性シート９１０、液抵抗性シート９２０、外層シート９３０）と固定される固定部８３０を形成する。図１１において、斜線で示した領域が固定部８３０である。
一方、吸収性コア２００のおむつ長手交差方向Ｘ側の端部２３０と重なるおむつ長手方向Ｙ上の領域には固定部８３０が形成されていない。この固定部８３０が形成されていない領域は、防漏シート用伸縮性弾性部材６００の収縮により起立され、後述する防漏壁８２０が形成される。また、防漏シート用伸縮性弾性部材６００の収縮により、防漏シート６００には防漏ギャザー８４０が形成される。
【００６１】
なお防漏シート用伸縮性弾性部材６００は、この固定部８３０が存在しない領域（防漏壁８２０が形成される領域）におけるおむつ長手方向Ｙのすべての長さに存在する必要はない。例えば、防漏壁８２０が形成される領域におけるおむつ長手方向Ｙの一部の領域にのみ、防漏シート用伸縮性弾性部材６００を配置すれば足りる。すなわち、防漏壁８２０が形成される領域のおむつ長手方向Ｙ上の固定部８３０において、防漏シート用伸縮性弾性部材６００の収縮力が影響すれば足りるものである。ここで、防漏壁８２０が形成される領域のおむつ長手方向Ｙ上の固定部８３０を収縮力固定部６１０とする。
【００６２】
収縮力固定部６１０は、腹側収縮力固定部６２０と、背側収縮力固定部６３０とを有する。
この内、背側収縮力固定部６３０は、吸収性コア２００の背側端部２２０と尻尾挿通開口１９０との間に設けられる。すなわち、この構成によって、防漏シート用伸縮性弾性部材６００の収縮により吸収性コア２００の背側端部２２０と尻尾挿通開口１９０間の吸収性コア非配置領域１７０が起立され、起立部７００が形成される。
また、腹側収縮力固定部６２０は、吸収性コア２００の腹側端部２１０とペット用使い捨ておむつ１０における腹側端部１１０Ａとの間に設けられる。すなわち、この構成によって、後述する通り、防漏シート用伸縮性弾性部材の収縮により吸収性コア２００の腹側端部２１０とペット用使い捨ておむつ１０の腹側端部１１０Ａとの間の吸収性コア非配置領域１７０が起立され、起立部７００が形成される。
【００６３】
ペット用使い捨ておむつ１０は、液透過性シート９１０と、液吸収性コア２００と、液抵抗性シート９２０と、外層シート９３０と、防漏シート８００とにより構成される。
図１２〜図１４に示す通り、液透過性シート９１０は、ペット用使い捨ておむつ１０の内側表面１００Ｚ１側に配置される。また、吸収性コア２００は、液透過性シート９１０と液抵抗性シート９２０との間に配置される。液抵抗性シート９２０の外側表面１００Ｚ２側には外層シート９３０が配置される。防漏シート８００は、おむつ長手交差方向Ｘにおいて液透過性シート９１０と、液抵抗性シート９２０と、外層シート９３０とに亘り配置される。この結果、腹側フラップ部１５０および背側フラップ部１６０は、防漏シート８００と外層シート９３０とにより構成される。
脚周り用伸縮性弾性部材４００は、防漏シート８００と液抵抗性シート９２０との間に配置される。
防漏シート用伸縮性弾性部材６００は、防漏シート８００における端部に形成された折り返し部８１０内の空間に配置される。
【００６４】
図１２に示す通り、止着部３００は、防漏シート８００と外層シート９３０との間に配置される。
図１２および図１３に示す通り、固定部８３０が形成されていない防漏シート８００は、防漏シート用伸縮性弾性部材６００の伸縮により起立され、防漏壁８２０を形成する。この際、防漏シート８００には多数の皺である防漏ギャザー８４０が形成される。
図１４に示す通り、止着領域９００における第２の止着領域９００Ｂは、外層シート９３０の外側表面１００Ｚ２方向に設けられる。
図示しないが、胴周り用伸縮性弾性部材５００は、液透過性シート９１０と液抵抗性シート９２０との間に配置される。
【００６５】
液透過性シート９１０、液抵抗性シート９２０、防漏シート８００は、不織布にて形成される。この不織布としては、スパンレース、ニードルパンチ、メルトブローン、サーマルボンド、スパンボンド、ケミカルボンドの各製法により製造されたものを選択することができる。
図示しないが、液透過性シート９１０、液抵抗性シート９２０、外層シート９３０、防漏シート８００同士の固定や、脚周り用伸縮性弾性部材４００、防漏シート用弾性伸縮性弾性部材６００、胴周り用伸縮性弾性部材５００の固定にあっては、接着剤が使用される。接着剤は、ホットメルト型接着剤を使用することが好ましい。その他の接着剤として、アクリル系接着剤や、ゴム系接着剤を使用することもできる。
接着剤は、スパイラル状、波状、ドット状、縞状のうち、いずれかの態様で塗布されることが好ましい。
【００６６】
次に、脚周り用伸縮性弾性部材４００と、胴周り用伸縮性弾性部材５００とにおける収縮力の関係を、図１５〜図１６に基づき説明する。なお、図１５〜図１６において、説明の便宜上、腹側フラップ部１５０および背側フラップ部１６０を省略し、本体部１４０Ｂのみを図示する。
図１５に示す通り、脚周り用伸縮性弾性部材４００は、そのおむつ長手方向Ｙ上の端部方向から内側方向へ向かい収縮する。すなわち、脚周り用伸縮性弾性部材４００の収縮力Ｆ１はおむつ長手方向Ｙに沿って内側方向へ向かい働く。
胴周り用伸縮性弾性部材５００は、そのおむつ長手交差方向Ｘ上の端部方向から内側方向へ向かい収縮する。すなわち、胴周り用伸縮性弾性部材５００の収縮力Ｆ２は、おむつ長手交差方向Ｘに沿って内側方向へ向かい働く。
収縮力交差領域１８０は、脚周り用伸縮性弾性部材４００の収縮力Ｆ１と、胴周り用伸縮性弾性部材５００の収縮力Ｆ２が交差する領域である。よって、収縮力交差領域１８０の収縮力Ｆ３は、おむつ長手方向Ｙとおむつ長手交差方向Ｘの双方に交差する方向に沿って、内側方向へ向かい働く。
収縮力交差領域１８０は、ペット用使い捨ておむつ１０の腹側端部１１０Ａ方向に形成された第１の収縮力交差領域１８１と、背側端部１３０Ａ方向に形成された第２の収縮力交差領域１８２とからなる。
【００６７】
この結果、図１６に示す通り、ペット用使い捨ておむつ１０の腹側端部１１０Ａおよび背側端部１３０Ａには、胴周り用伸縮性弾性部材５００の収縮力Ｆ２により、ペット用使い捨ておむつ１０の内側表面Α１から外側表面Ｚ２方向に向かい突出する第１の湾曲部５４０が形成される。
第１の湾曲部５４０は、ペット用使い捨ておむつ１０の腹側端部１１０Ａに形成された第１の腹側湾曲部５４１と、背側端部１３０Ａにされた第１の背側湾曲部５４２とを有する。
【００６８】
また、収縮力交差領域１８０には、収縮力交差領域１８０にかかる収縮力Ｆ３により、ペット用使い捨ておむつ１０の内側表面１００Ｚ１へ向かい湾曲した第２の湾曲部１８３が形成される。
第２の湾曲部１８３は、第１の収縮力交差領域１８１に形成された第２の腹側湾曲部１８４と、第２の収縮力交差領域１８２に形成された第２の背側湾曲部１８５とを有する。
【００６９】
次に図１７に基づき、脚周り用伸縮性弾性部材４００と、防漏シート用伸縮性弾性部材６００が収縮した状態につき説明する。図１７は、図１におけるＤ−Ｄ線断面図であるが、説明の便宜上、液透過性シート９１０、液抵抗性シート９２０、外層シート９３０の一部および吸収性コア２００、止着領域９００の全部の構成を省略する。
図１７において、脚周り用伸縮性弾性部材４００と、防漏シート用伸縮性弾性部材６００とは収縮した状態である。この結果、脚周り用伸縮性弾性部材４００と、防漏シート用伸縮性弾性部材６００の収縮力に影響され起立部７００が形成される。すなわち、吸収性コア非配置領域１７０における腹側起立領域１７１、背側起立領域１７２、股下起立領域１７３、がそれぞれ起立され、起立部７００が形成される。
起立部７００は、腹側起立部７１０と、背側起立部７２０と、股下起立部７３０とからなる。
【００７０】
腹側起立部１７１は、脚周り用伸縮性弾性部材４００の収縮により腹側起立領域１７１が起立され、形成される。
なお、防漏シート用伸縮性弾性部材６００の端部よりも脚周り用伸縮性弾性部材４００の端部の方が、ペット用使い捨ておむつ１０の腹側端部１１０Ａにより近い位置に配置される。よって、腹側起立部１７１は、脚周り用伸縮性弾性部材４００の収縮力の影響をより強く受ける。一方、腹側起立部１７１は、脚周り用伸縮性弾性部材４００よりも弱いものの、防漏シート用伸縮性弾性部材６００の収縮力の影響を受ける。すなわち、収縮力固定部６１０の腹側固定部６２０が防漏シート用弾性部材６００の収縮力により移動されることにより、腹側起立領域１７１が起立される。よって、防漏シート用伸縮性弾性部材６００も腹側起立部１７１を形成する。
なお、本発明において起立部７００を形成する「起立する」とは、単一種類の伸縮性弾性部材による収縮力、もしくは複数の伸縮性弾性部材のそれぞれの収縮力が合わせられた収縮力によって、吸収性コア非配置領域１７０が変形されることを示すものである。
【００７１】
背側起立部７２０は、脚周り用伸縮性弾性部材４００の収縮により、背側起立領域１７２が起立され形成される。
【００７２】
また、脚周り用伸縮性弾性部材４００は、胴周り用伸縮性弾性部材５００に重ねられる。すなわち、脚周り用伸縮性弾性部材４００の両端部は、それぞれ腹側胴周り用伸縮性弾性部材５１０と背側胴周り用伸縮性弾性部材５２０とに重ねられる。
胴周り伸縮性弾性部材５００は、おむつ長手交差方向上に所定の長さで配置されている。そのため、腹側起立部７１０は腹側胴周り用伸縮性弾性部材５１０を、背側起立部７２０は背側胴周り用伸縮性弾性部材５２０をそれぞれ起立させる。よって、腹側起立領域１７１と背側起立領域１７２とは、それぞれ安定した起立状態とされる。すなわち、この腹側胴周り用伸縮性弾性部材５１０と、背側胴周り用伸縮性弾性部材５２０は、起立部７００の起立状態を確実なものとするための起立シート７４０とされる。
【００７３】
股下起立部７３０は、防漏シート用伸縮性弾性部材６００の収縮により収縮力固定部６１０の背側固定部１７３が移動されることに伴い、股下起立領域１７３が起立されることにより形成される。
なお、上述の如く、防漏シート用伸縮性弾性部材６００の収縮により、防漏壁８２０が形成される。この防漏壁８２０と、腹側起立部７１０と、股下起立部７３０と、吸収性コア（図１７では図示せず）に囲まれた空間が、排泄物収容空間８５０とされる。
【００７４】
ペット用使い捨ておむつ１０の腹側端部１１０Ａから尻尾挿通口１９０に亘る領域には、脚周り用伸縮性弾性部材４００と防漏シート用伸縮性弾性部材６００の収縮力Ｆ１により、ペット用使い捨ておむつ１０の内側表面１００Ｚ１から外側表面１００Ｚ２方向に向かい突出する第３の湾曲部１８６が形成される。
ペット用使い捨ておむつ１０の尻尾挿通口１９０から背側端部１３０Ａに亘る領域には、主に脚周り用伸縮性弾性部材４００の収縮力Ｆ１により、ペット用使い捨ておむつ１０の内側表面１００Ｚ１から外側表面１００Ｚ２方向に向かい突出する第４の湾曲部１８７が形成される。
【００７５】
次に、図１８〜図２０に基づき、ペット用使い捨ておむつ１０の装着について説明する。使用者が、ペット用使い捨ておむつ１０をパッケージから取り出す。多くの場合、パッケージ内においてはペット用使い捨ておむつ１０の腹側フラップ部１５０と背側フラップ部１６０が内側方向に折り畳まれている。ペット用使い捨ておむつ１０自体も２つ折り、３つ折り等にて折り畳まれている。
使用者は使用に際し、この折り畳まれている構成を解放する。すると、脚周り用伸縮性弾性部材４００と、胴周り用弾性伸縮性弾性部材５００と、防漏シート伸縮性弾性部材６００とが収縮する。この結果、起立部７００として腹側起立部７１０と、背側起立部７２０と、股下起立部７３０が形成される。また、防漏壁８２０が形成される。さらに、第１の湾曲部５４０と、第２の湾曲部１８３と、第３の湾曲部１８６と、第４の湾曲部１８７が形成される。さらに、脚周りギャザー４１０と胴周りギャザー５３０と防漏ギャザー８４０が形成される。そして、ペット用使い捨ておむつ１０は脚周り用伸縮性弾性部材４００と、胴周り用弾性伸縮性弾性部材５００と、防漏シート伸縮性弾性部材６００の収縮により、形状が安定化される。
【００７６】
次に使用者は、ペット用使い捨ておむつ１０の尻尾挿通開口１９０にペットαの尻尾を挿通する。
次に使用者は、背側胴周り域１１０をペットαの背に密接させつつ、股下域１２０および腹側胴周り域１３０でペットαの股間乃至腹を被覆するとともに、止着部３００の自由部３１０を止着領域９００に止着する。これにより、ペットαへのペット用使い捨ておむつ１０の装着がなされる。
このペット用使い捨ておむつ１０のペットαの装着に係る事項が、本発明に係る「前記ペット用使い捨ておむつを前記ペットへ装着する状態においては、前記背側胴周り域が前記ペットの背に密接されつつ、前記股下域および前記腹側胴周り域が前記ペットの股間乃至腹に被覆されるとともに、前記止着部が前記止着領域に止着され」の一例である。
【００７７】
ここで、使用者が背側胴周り域１１０をペットαの背に密接させる際のペット用使い捨て紙おむつ１０の状態を、図１８に基づき説明する。
背側端部１３０Ａには、おむつ外側表面１００Ｚ２方向に突出されている第１の湾曲部５４０が形成されている。また、第４の湾曲部１８７により背側端部１１０Ａから尻尾挿通口１９０に亘る領域の形状が安定している。また、第２の湾曲部１８３により、第２の収縮力交差領域１８２とともに背側フラップ部１６０がペット用使い捨ておむつ１０の内側表面１００Ｚ１方向に湾曲される。
すなわち、背側端部１３０Ａをペットαの背の湾曲に容易に配置することができる。
また、背側端部１３０Ａがめくれる可能性が低い。
【００７８】
ここで、使用者が、股下域１２０および腹側胴周り域１３０でペットαの股間乃至腹を被覆するとともに、止着部３００の自由部３１０を止着領域９００に止着する際のペット用使い捨ておむつ１０の状態を、図１９にて説明する。
腹側端部１１０Ａには、おむつ外側表面１００Ｚ２方向に突出されている第１の湾曲部５４０が形成されている。また、第３の湾曲部１８６により腹側端部１１０Ａから尻尾挿通口１９０に亘る領域の形状が安定している。
また、第２の湾曲部１８３により、第１の収縮力交差領域１８１とともに腹側フラップ部１５０がペット用使い捨ておむつ１０の内側方向１００Ｚ１に湾曲される。一方、腹側フラップ部１５０は止着部３００を有しているため、腹側フラップ部１５０は、本体部１４０Ｂとの境界部分よりも、長手交差方向側端部１５０Ｂの方が重い。よって、腹側フラップ部１５０における本体１４０Ｂとの境界部分は第２の湾曲部１８３とともに内側方向１００Ｚ１へ向けて湾曲する。一方、腹側フラップ部１５０における長手交差方向側端部１５０Ａは、その自重により外側方向１００Ｚ２へ向けて湾曲する。この結果、止着部３００は真下に垂れ下がらない状態で腹側フラップ部１５０に支持される。
すなわち、使用者は、腹側端部１１０Ａをペットαの腹の湾曲に容易に配置することができる。
また、腹側端部１１０Ａがめくれる可能性が低い。
また、使用者は止着部３００を容易に把持しやすい。
さらに、止着部３００を使用者が止着領域９００へ向けて移動させる際、第１の収縮力交差領域１８０の影響を受ける。よって、使用者が、止着部３００をどのような位置に移動させても収縮力が働く。この結果、使用者は容易に止着部３００を止着領域９００の所望の位置に移動することができる。
【００７９】
図２０は、ペット用使い捨ておむつ１０をペットαに着用した状態を示す図である。
ペット用使い捨ておむつ１０をペットに装着した後でも、脚周り用伸縮性弾性部材４００と、胴周り用弾性伸縮性弾性部材５００と、防漏シート伸縮性弾性部材６００との収縮状態は継続する。この結果、起立部７００として形成された腹側起立部７１０と、背側起立部７２０と、股下起立部７３０はその起立状態を継続する。また、防漏壁８２０の形成状態は継続する。さらに、第１の湾曲部５４０と、第２の湾曲部１８３と、第３の湾曲部１８６と、第４の湾曲部１８７の湾曲状態は継続する。さらに、脚周りギャザー４１０と胴周りギャザー５３０と防漏ギャザー８４０の形成状態は継続する。
【００８０】
ペットαが排泄を行った場合、排泄物収容空間８５０内に排泄物が保持される。排泄物が尿である場合は、吸収性コア２００に吸収される。排泄物が便の場合は、便の一部が吸収性コア２００に吸収され、残りの便が排泄物収容空間８５０内に保持される。
排泄物がいずれの場合であっても、吸収性コア２００の重量は、止着部３００の自由部３１０における止着部長手方向３００Ｘで受けられる。
これが、本発明に係る「前記ペット用使い捨ておむつを前記ペットが装着している状態においては、排泄時の前記吸収性コアの重量が前記止着部の長手方向で受けられる」の一例である。
【００８１】
ペットαに着用されたペット用使い捨ておむつ１０を取り外す場合には、係止領域９００から係止部３００を取り外す。そして、尻尾挿通開口１９０からペット用使い捨ておむつ１０を引き抜く。そして、ペット用使い捨ておむつ１０を廃棄する。
この内、係止領域９００から係止部３００を取り外し、尻尾挿通開口１９０からペット用使い捨ておむつ１０を引き抜く工程において、腹側端部１３０Ａは、ペットαの斜め
下側方向に向けられる。この場合であっても、腹側起立部７１０により、便が転落する可能性を減少させることができる。
【００８２】
以下、図２１〜図５０に基づき、本発明に係る第２の実施形態〜第２９の実施形態につき説明する。なお、第２の実施形態〜第２９の実施形態の説明において、上記第１の実施形態と同様の構成を有する構成要素は、その説明、図面符号などを省略する。
【００８３】
（第２の実施形態）
本発明に係る第２の実施形態を、図２１に基づき説明する。第２の実施形態に係るペット用使い捨ておむつ１１は、第１の実施形態に係るペット用使い捨ておむつ１０に比して、識別領域１１Ａが第２の延出識別領域１１Ａ１として形成されているものである。
すなわち、識別領域１１Ａは、ペット用使い捨ておむつ１１の背側フラップ１６０における長手方向端部からおむつ長手方向に向かって延出されている。
この識別領域１１Ａと第２の延出識別領域１１Ａ１との関係が、本発明に係る「前記識別領域が、前記背側フラップ部の長手方向上に延出された第２の延出識別領域」の一例である。
識別領域１１Ａを第２の延出識別領域１１Ａ１として構成することにより、ペット用使い捨ておむつ１１をペットに装着した場合、背側フラップ部１６０の折れ曲りを確認することができる。すなわち、ペット用使い捨ておむつ１１をペットに装着した場合、第２の延出識別領域１１Ａ１が視認できれば背側フラップ部１６０は折れ曲っていない。一方、第２の延出識別領域１１Ａ１が視認できない場合や、第２の延出識別領域１１Ａ１が折れ曲っている場合は、背側フラップ部１６０が折れ曲っている。
【００８４】
（第３の実施形態）
本発明に係る第３の実施形態を、図２２に基づき説明する。第３の実施形態に係るペット用使い捨ておむつ１２は、第１の実施形態に係るペット用使い捨ておむつ１０に比して、識別領域１２Ａが背側フラップ部１６０における他の領域とは異なる配色を施された配色識別領域１２Ａ１として構成されている。
この識別領域１２Ａと配色識別領域１２Ａ１との関係が、本発明に係る「前記識別領域が、前記背側フラップ部における他の領域とは異なる配色を施された配色識別領域である」の一例である。
識別領域１２Ａを配色識別領域１２Ａ１として構成することにより、ペット用使い捨ておむつ１２をペットに装着した場合、背側フラップ部１６０の折れ曲りを確認することができる。すなわち、ペット用使い捨ておむつ１２をペットに装着した場合、配色識別領域１２Ａ１が視認できれば背側フラップ部１６０は折れ曲っていない。一方、配色識別領域１２Ａ１が視認できない場合や、配色識別領域１２Ａ１が折れ曲っている場合は、背側フラップ部１６０が折れ曲っている。
【００８５】
（第４の実施形態）
本発明に係る第４の実施形態を、図２３に基づき説明する。第４の実施形態に係るペット用使い捨ておむつ１３は、第１の実施形態に係るペット用使い捨ておむつ１０に比して、識別領域１３Ａが腹側フラップ部１５０に設けられている。
これが、本発明に係る「前記識別領域が、前記腹側フラップ部に設けられている」の一例である。
この腹側フラップ部１５０に設けられた識別領域１３Ａは、背側フラップ部１６０の状態を確認するための視認領域１３Ａ１とされる。
この視認領域１３Ａ１が、本発明に係る「前記識別領域が、前記背側フラップ部の状態を確認するために前記腹側フラップ部に設けられた視認領域である」の一例である。
第４の実施形態においては、視認領域１３Ａ１は、光線を透過することができる光線透過識別領域１３Ａ２にて形成されている。
この光線透過識別領域１３Ａ２が、本発明に係る「前記視認領域が、光線を透過することができる光線透過識別領域である」の一例である。
光線透過識別領域１３Ａ２は、具体的には光線を透過することができる周知の不織布もしくは周知のフィルムにて、腹側フラップ部１５０を形成することにより実現される。なお、光線を透過することができる程度とは、背側フラップ部１６０の上に腹側フラップ１５０を配置した場合、背側フラップ部１６０から腹側フラップ１５０が透けて見えれば足りるものである。
識別領域１３Ａを、視認領域１３Ａ１である光線透過識別領域１３Ａ２として構成することにより、ペット用使い捨ておむつ１３をペットに装着した場合、背側フラップ部１６０の折れ曲りを確認することができる。すなわち、ペット用使い捨ておむつ１３をペットに装着した場合、光線透過識別領域１３Ａ２を通して背側フラップ部１６０の状況を視認することができる。
【００８６】
（第５の実施形態）
本発明に係る第５の実施形態を、図２４に基づき説明する。第５の実施形態に係るペット用使い捨ておむつ１４は、第１の実施形態に係るペット用使い捨ておむつ１０に比して、識別領域１４Ａである視認領域１４Ａ１が、腹側フラップ部の腹側方向端部を切欠いて形成された切欠き識別領域１４Ａ２にて構成されている。
この切欠き識別領域１４Ａ２が、本発明に係る「前記視認領域が、前記腹側フラップ部の腹側方向端部を切欠いて形成された切欠き識別領域である」の一例である。
識別領域１４Ａを、視認領域１４Ａ１である切欠き識別領域１４Ａ２として構成することにより、ペット用使い捨ておむつ１４をペットに装着した場合、背側フラップ部１６０の折れ曲りを確認することができる。すなわち、ペット用使い捨ておむつ１４をペットに装着した場合、切欠き識別領域１４Ａ２を通して背側フラップ部１６０の状況を視認することができる。
【００８７】
（第６の実施形態）
本発明に係る第６の実施形態を、図２５に基づき説明する。第６の実施形態に係るペット用使い捨ておむつ１５は、第１の実施形態に係るペット用使い捨ておむつ１０に比して、識別領域１５Ａである視認領域１５Ａ１が、腹側フラップ部１６０を開口して形成された第１の開口識別領域１５Ａ２にて構成されている。
この第１の開口識別領域１５Ａ２が、本発明に係る「前記視認領域が、前記腹側フラップ部を開口して形成された第１の開口識別領域」の一例である。
識別領域１５Ａを、視認領域１５Ａ１である第１の開口識別領域１５Ａ２として構成することにより、ペット用使い捨ておむつ１５をペットに装着した場合、背側フラップ部１６０の折れ曲りを確認することができる。すなわち、ペット用使い捨ておむつ１５をペットに装着した場合、第１の開口識別領域１５Ａ２を通して背側フラップ部１６０の状況を視認することができる。
【００８８】
（第７の実施形態）
本発明に係る第７の実施形態を、図２６に基づき説明する。第７の実施形態に係るペット用使い捨ておむつ１６は、第１の実施形態に係るペット用使い捨ておむつ１０に比して、識別領域１６Ａである視認領域１６Ａ１が、腹側フラップ部１６０を開口して形成された第２の開口識別領域１６Ａ２と、第２の開口識別領域１６Ａ２を覆うとともに該第２の開口識別領域１６Ａ２に対して開閉自在に形成された蓋領域１６Ａ２２とにより構成されている。
この第２の開口領域１６Ａ２と蓋領域１６Ａ２２が、本発明に係る「前記視認領域が、前記腹側フラップ部を開口して形成された第２の開口識別領域と、該第２の開口識別領域を覆うとともに該第２の開口識別領域に対して開閉自在に形成された蓋領域とにより構成されている」の一例である。
第２の開口領域１６Ａ２は、腹側フラップ部１６０に設けられた開口部１６Ａ２１により形成される。
蓋領域１６Ａ２２は、第１の蓋部１６Ａ２２１と、第２の蓋部１６Ａ２２３とにより形成される。第１の蓋部１６Ａ２２１と第２の蓋部１６Ａ２２３は、開口部１６Ａ２１を覆うように並べて配置されている。第１の蓋部１６Ａ２２１と第２の蓋部１６Ａ２２３が対向する箇所は、開口部１６Ａ２１の中央部に相当する。第１の蓋部１６Ａ２２１における、第２の蓋部１６Ａ２２３との対向箇所以外の端部は、第１の接着領域１６Ａ２２２として接着剤により外層シートに接続されている。第２の蓋部１６Ａ２２３における、第１の蓋部１６Ａ２２１との対向箇所以外の端部は、第２の接着領域１６Ａ２２４として接着剤により外層シートに接続されている。
識別領域１６Ａを、視認領域１６Ａ１である第２の開口識別領域１６Ａ２と蓋領域１６Ａ２２として構成することにより、ペット用使い捨ておむつ１６をペットに装着した場合、背側フラップ部１６０の折れ曲りを確認することができる。すなわち、ペット用使い捨ておむつ１６をペットに装着した場合、図２７に示すように、第１の蓋部１６Ａ２２１と第２の蓋部１６Ａ２２３を押し広げ、第２の開口識別領域１６Ａ２を露出させる。そして、第２の開口領域１６Ａ２を通して背側フラップ部１６０の状況を視認することができる。
【００８９】
なお、第１の実施形態〜第７の実施形態により、識別領域の構成を種々説明した。一方、本願発明に係る識別領域の構成は、上述した構成に限らないものである。
さらに、識別領域を、背側フラップ部に設けられた背側フラップ部識別領域と、腹側フラップ部に設けられた腹側フラップ部領域とにより構成することも可能である。
これが、本発明に係る「前記識別領域が、前記背側フラップ部に設けられた背側フラップ部識別領域と、前記腹側フラップ部に設けられた腹側フラップ部領域とにより形成されている」の一例である。
【００９０】
（第８の実施形態）
本発明に係る第８の実施形態を、図２８に基づき説明する。第８の実施形態に係るペット用使い捨ておむつ１７は、背側フラップ部１６１の側端部１６１Ｂの形状が、おむつ長手方向に関して暫時異なる。この暫時異なる側端部１６１Ｂの形状は、直線により形成されている。
また、側端部１６１Ｂの極大領域１６１Ｂ１は、第１の直線部１６１ＢＡと第２の直線１６１ＢＢ分とが交差する部分により形成されている。したがって、極大領域１６１Ｂ１とおむつ長手方向の仮想線とが交差する部分は点状となる。
このように構成された第８の実施形態に係るペット用使い捨ておむつ１７は、第１の実施形態に係るペット用使い捨ておむつ１０と同等の作用・効果を奏する。
【００９１】
（第９の実施形態）
本発明に係る第９の実施形態を、図２９に基づき説明する。第９の実施形態に係るペット用使い捨ておむつ１８は、背側フラップ部１６２の側端部１６２Ｂの形状が、おむつ長手方向に関して暫時異なる領域と、おむつ長手方向に平行な領域とにより構成されている。
また、背側フラップ部１６２における側端部１６２Ｂの形状がおむつ長手方向に関して暫時異なる領域が、概ね円弧状の曲線により形成されている。この概ね円弧状の曲線は、第１の円弧部１６２ＢＡと第２の円弧部１６２ＢＣとにより構成される。
また、背側フラップ部１６２の側端部１６２Ｂにおける形状が、極大領域１６２Ｂ１を極大値とする直線部１６２ＢＢにより形成されている。
このように構成された第９の実施形態に係るペット用使い捨ておむつ１８は、第１の実施形態に係るペット用使い捨ておむつ１０と同等の作用・効果を奏する。
【００９２】
（第１０の実施形態）
本発明に係る第１０の実施形態を、図３０に基づき説明する。第１０の実施形態に係るペット用使い捨ておむつ１９は、背側フラップ部１６３の側端部１６３Ｂの形状が、おむつ長手方向に関して暫時異なる領域と、おむつ長手方向に平行な領域とにより構成されている。
また、背側フラップ部１６３における側端部１６３Ｂの形状がおむつ長手方向に関して暫時異なる領域が、直線により形成されている。この直線は、第１の直線部１６３ＢＡと第３の直線部１６３ＢＣとにより構成される。
また、背側フラップ部１６３の側端部１６３Ｂにおける形状が、極大領域１６３Ｂ１を極大値とする第３の直線部１６３ＢＢにより形成されている。
このように構成された第１０の実施形態に係るペット用使い捨ておむつ１９は、第１の実施形態に係るペット用使い捨ておむつ１０と同等の作用・効果を奏する。
【００９３】
（第１１の実施形態）
本発明に係る第１１の実施形態を、図３１に基づき説明する。第１１の実施形態に係るペット用使い捨ておむつ２０は、第２の止着領域９０１Ｂにおける側端部９０１ＢＢの形状が、おむつ長手方向に関して暫時異なるように構成されている。
この際、第２の止着領域９０１Ｂの側端部における側端部９０１ＢＢの形状が概ね円弧状とされている。
このように構成された第１１の実施形態に係るペット用使い捨ておむつ２０は、第１の実施形態に係るペット用使い捨ておむつ１０と同等の作用・効果を奏する。
【００９４】
（第１２の実施形態）
本発明に係る第１２の実施形態を、図３２に基づき説明する。第１２の実施形態に係るペット用使い捨ておむつ２１は、第２の止着領域９０２Ｂにおける側端部９０２ＢＢの形状が、おむつ長手方向に関して暫時異なるように構成されている。
この際、第２の止着領域９０２Ｂの側端部における側端部９０２ＢＢの形状が直線状とされている。すなわち、側端部９０１ＢＢは、第１の直線部９０２ＢＢ１と第２の直線部９０２ＢＢ２とにより構成されている。
このように構成された第１２の実施形態に係るペット用使い捨ておむつ２１は、第１の実施形態に係るペット用使い捨ておむつ１０と同等の作用・効果を奏する。
【００９５】
（第１３の実施形態）
本発明に係る第１３の実施形態を、図３３に基づき説明する。第１３の実施形態に係るペット用使い捨ておむつ２２は、背側フラップ部１６４におけるおむつ長手交差方向の長さは、腹側フラップ部１５１における前記おむつ長手交差方向の長さよりも長い
このように構成された第１３の実施形態に係るペット用使い捨ておむつ２２は、第１の実施形態に係るペット用使い捨ておむつ１０と同等の作用・効果を奏する。
【００９６】
（第１４の実施形態）
本発明に係る第１４の実施形態を、図３４に基づき説明する。第１４の実施形態に係るペット用使い捨ておむつ２３は、止着領域９０１として第１の止着領域９０１Ａのみがペット用使い捨ておむつ２３の外側表面１００Ｚ２全体に亘り配置されている。
このように構成された第１４の実施形態に係るペット用使い捨ておむつ２３は、第１の実施形態に係るペット用使い捨ておむつ１０と同等の作用・効果を奏する。
【００９７】
（第１５の実施形態）
本発明に係る第１５の実施形態を、図３５に基づき説明する。第１５の実施形態に係るペット用使い捨ておむつ２４は、止着領域９０２として第１の止着領域９０２Ａが、背側胴周り域におけるおむつ本体部と背側フラップ部とに亘る外側表面１００Ｚ２に配置されている。
なお、第１の止着領域９０２Ａが配置されていない外側表面１００Ｚ２には、止着部のフック部に対し係合力を有さない不織布を使用することができる。
このように構成された第１５の実施形態に係るペット用使い捨ておむつ２４は、第１の実施形態に係るペット用使い捨ておむつ１０と同等の作用・効果を奏する。
【００９８】
（第１６の実施形態）
本発明に係る第１６の実施形態を、図３６に基づき説明する。第１６の実施形態に係るペット用使い捨ておむつ２５は、止着領域９０３として第１の止着領域９０３Ａが、背側胴周り域におけるおむつ本体部の外側表面１００Ｚ２に配置されている
なお、第１の止着領域９０３Ａが配置されていない背側フラップ部外側表面には、止着部のフック部に対し係合力を有さない不織布を使用することができる。
このように構成された第１６の実施形態に係るペット用使い捨ておむつ２５は、第１の実施形態に係るペット用使い捨ておむつ１０と同等の作用・効果を奏する。
【００９９】
（第１７の実施形態）
本発明に係る第１７の実施形態を、図３７および図３８に基づき説明する。第１７の実施形態に係るペット用使い捨ておむつ２６は、係止領域９０４の第１の係止領域９０４Ａにおいて、第３の溶着部９３１Ｃが、間隔を空けて連続して配置された第３の溶着短線９３１Ｃ２により形成されている。
ここで、第３の溶着部９３１Ｃが、第３の溶着短線９３１Ｃ２である場合における、第３の隣接溶着部９３１ＣＢにおける一対の第３の溶着短線９３１Ｃ２の関係を説明する。
まず、第３の溶着短線９３１Ｃ２の両端部を経由する、第３の方向と直交する方向へ延びる直線を仮想線９３１ＣＢＬとする。
第３の隣接溶着部９３１ＣＢにおいては、隣接する一対の第３の溶着部９３１Ｃ同士において、一方の第３の溶着部９３１Ｃにおいては仮想線９３１ＣＢＬ内に第３の溶着短線９３１Ｃ２が配置される。しかし、他方の第３の溶着部９３１Ｃにおいては、他方の第３の溶着短線９３１Ｃ２同士の間隔が存在するものである。このような関係を「隣接溶着部における溶着短線が、互いに重ならない」と定義する。
一方、第３の溶着部９３１Ｃが第３の溶着短線９３１Ｃ２である場合において、第３の隣接溶着部９３１ＣＢとなる一対の第３の溶着部９３１Ｃの他の配置形態を考慮する。
第３の隣接溶着部９３１ＣＢにおいて、第３の方向と直交する方向に一対の第３の溶着短線９３１Ｃ２同士が存在する場合がある。このような関係を「隣接溶着部における溶着短線が、互いに重なり合う」と定義する。
この、「隣接溶着部における溶着短線が、互いに重なり合う」関係や、「溶着隣接部における溶着短線が、互いに重ならない」関係は、第１の溶着部、第２の溶着部にもそれぞれ形成される。すなわち、得るべきループ部の構成に応じて、これらの「隣接溶着部における溶着短線」の関係を、適宜選択し得るものである。
【０１００】
図３８にて、第１７の実施形態に係るペット用使い捨ておむつ２６の囲繞部９３１Ｄの説明を行う。
第１の溶着部９３１Ａである第１の溶着連続線９３１Ａ１と、第２の溶着部９３１Ｂである第２の溶着連続線９３１Ｂ１とにより囲繞部９３１Ｄが形成されている。
この囲繞部９３１Ｄにおいては、第１のループ部９３１Ｌ１と、第２のループ部９３１Ｌ２が形成されている。
さらに、第３の溶着部９３１Ｃが第３の溶着短線９３１Ｃ２であることから、第１の溶着部９３１Ａから、第３の溶着部９３１Ｃにおける第３の溶着短線９３１Ｃ２同士の間隔を経由して第２の溶着部９３１Ｂに亘る熱可塑性繊維により形成され、止着部のフック部に着脱自在に係止される第３のループ部９３１Ｌ３が形成される。
さらに、第１の隣接溶着部９３１ＡＢにおける一方の第１の溶着部９３１Ａから、第３の溶着部９３１Ｃにおける第３の溶着短線９３１Ｃ２同士の間隔を経由して他方の第１の溶着部９３１Ａに亘る熱可塑性繊維により形成され、止着部のフック部に着脱自在に形成される第４のループ部９３１Ｌ４が形成される。
さらに、第２の隣接溶着部９３１ＢＢにおける一方の第２の溶着部９３１Ｂから、第３の溶着部９３１Ｃにおける第３の溶着短線９３１Ｃ２同士の間隔を経由して他方の第２の溶着部９３１Ｂに亘る熱可塑性繊維により形成され、止着部のフック部に着脱自在に形成される第５のループ部９３１Ｌ５が形成される。
このように構成された第１７の実施形態に係るペット用使い捨ておむつ２６は、第１の実施形態に係るペット用使い捨ておむつ１０に比して、異なる構成のフック部に適した構成となる。
【０１０１】
（第１８の実施形態）
本発明に係る第１８の実施形態を、図３９に基づき説明する。第１８の実施形態に係るペット用使い捨ておむつ２７は、係止領域９０５の第１の係止領域９０５Ａにおいて、第１の溶着部９３２Ａが第１の溶着短線９３２Ａ２として形成され、第２の溶着部９３２Ｂが第２の溶着短線９３２Ｂ２として形成され、第３の溶着部９３２Ｃが第３の溶着短線９３２Ｃ２として形成されている。
この構成により、第１〜第５のループ部の他に、隣接する囲繞部９３２Ｄ間に亘る熱可塑性繊維により形成され、止着部のフック部に着脱自在に形成される第６のループ部を形成することができる。
なお、第１の隣接溶着部９３２ＡＢにおける第１の溶着短線９３２Ａ２は、互いに重なり合う。第２の隣接溶着部９３２ＢＢにおける第２の溶着短線９３２Ｂ２は、互いに重なり合う。
このように構成された第１８の実施形態に係るペット用使い捨ておむつ２７は、第１の実施形態に係るペット用使い捨ておむつ１０に比して、異なる構成のフック部に適した構成となる。
【０１０２】
（第１９の実施形態）
本発明に係る第１９の実施形態を、図４０に基づき説明する。第１９の実施形態に係るペット用使い捨ておむつ２８は、係止領域９０６の第１の係止領域９０６Ａにおいて、第１の溶着部９３３Ａが第１の溶着短線９３３Ａ２として形成され、第２の溶着部９３３Ｂが第２の溶着短線９３３Ｂ２として形成され、第３の溶着部９３３Ｃが第３の溶着短線９３３Ｃ２として形成されている。
第３の溶着短線９３３Ｃ２は、隣接する囲繞部９３３Ｄに亘り設けられている。
この構成により、第１〜第６のループ部として、前述の第１の実施形態、第１７の実施形態、第１８の実施形態とは異なる長さの第１〜第６のループ部を形成することができる。
このように構成された第１９の実施形態に係るペット用使い捨ておむつ２８は、第１の実施形態に係るペット用使い捨ておむつ１０に比して、異なる構成のフック部に適した構成となる。
【０１０３】
（第２０の実施形態）
本発明に係る第２０の実施形態を、図４１に基づき説明する。第２０の実施形態に係るペット用使い捨ておむつ２９は、係止領域９０７の第１の係止領域９０７Ａにおいて、第１の溶着部９３４Ａが第１の溶着短線９３４Ａ２として形成され、第２の溶着部９３４Ｂが第２の溶着短線９３４Ｂ２として形成され、第３の溶着部９３４Ｃが第３の溶着短線９３４Ｃ２として形成されている。
さらに、第１の溶着部９３４Ａが、並列された第１の溶着部９３４Ａにより構成されている。第２の溶着部９３４Ｂが、並列された第２の溶着部９３４Ｂにより構成されている。
この構成により、第１〜第６のループ部として、前述の第１の実施形態、第１７の実施形態、第１８の実施形態、第１９の実施形態とは異なる長さの第１〜第６のループ部を形成することができる。
このように構成された第２０の実施形態に係るペット用使い捨ておむつ２９は、第１の実施形態に係るペット用使い捨ておむつ１０に比して、異なる構成のフック部に適した構成となる。
【０１０４】
（第２１の実施形態）
本発明に係る第２１の実施形態を、図４２に基づき説明する。第２１の実施形態に係るペット用使い捨ておむつ３０は、第１の実施形態に係るペット用使い捨ておむつ１０に比して、脚周り用伸縮性弾性部材４０１を複数の脚周り用伸縮性弾性部材により構成するものである。すなわち、この第２１の実施形態に係る脚周り用伸縮性弾性部材４０１は、複数の脚周り用伸縮性弾性部材をおむつ長手方向に間隔をあけて連続的に配置することで構成されている。この場合、連続的に配置される脚周り用伸縮性弾性部材の数については、実現しようとするペット用使い捨ておむつに応じて選択し得るものである。
本発明に係る第２１の実施形態においては、おむつ長手方向に連続する脚周り用伸縮性弾性部材４０１を、３つの脚周り用伸縮性弾性部材により形成している。すなわち、腹側胴周り域に配置される脚周り用伸縮性弾性部材４０１Ａ、股下域に配置される脚周り用伸縮性弾性部材４０１Ｂ、腰周り用伸縮性弾性部材４０１Ｃとにより構成されている。
この第２１の実施形態においても、第１の実施形態と同様に、起立部７００として、腹側起立部７１０と、背側起立部７２０と、股下起立部７３０が形成される。また、防漏壁８２０が形成される。また、第１の湾曲部５４０として第１の腹側湾曲部５４１と第１の背側湾曲部５４２と、第２の背側湾曲部１８４として第２の腹側湾曲部１８５と第２の背側湾曲部１８５と、第３の湾曲部１８６と、第４の湾曲部１８７が形成される。また、脚周りギャザー４１０と胴周りギャザー５３０と防漏ギャザー８４０が形成される。
よって、この第２１の実施形態に係るペット用使い捨ておむつ３０は、上述した第１の実施形態に係るペット用使い捨ておむつ１０と同様の作用および効果を奏する。
さらに、脚周り用伸縮性弾性部材４０１が、３つの脚周り用伸縮性弾性部材により形成されているため、それぞれの脚周り用伸縮性弾性部材の伸縮力が影響しにくい。よって、例えば腹側胴周り域でズレが生じていても、背側胴周り域への影響が少なく、全体としてズレを生じにくい構成となる。
【０１０５】
（第２２の実施形態）
本発明に係る第２２の実施形態を、図３０に基づき説明する。第２２の実施形態に係るペット用使い捨ておむつ３１は、第１の実施形態に係るペット用使い捨ておむつ１０に比して、脚周り用伸縮性弾性部材４０２がおむつ長手方向に連続されていないものである。
すなわち、本発明に係る第２２の実施形態においては、脚周り用伸縮性弾性部材４０２は、ペット用使い捨ておむつ３１の腹側胴周り域に配置された脚周り用伸縮性弾性部材４０２Ａと、背側胴周り域に配置された脚周り用伸縮性弾性部材４０２Ｂとにより構成される。
この第２２の実施形態と第１の実施形態と比較すると、第２２の実施形態に係るペット用使い捨ておむつ３１は、脚周り用伸縮性弾性部材４０２Ａおよび４０２Ｂが配置された領域にのみ脚周りギャザー４１０、第４の湾曲部１８７が形成されるという点で異なる。
一方、起立部７００として、腹側起立部７１０と、背側起立部７２０と、股下起立部７３０が形成される。また、防漏壁８２０が形成される。また、第１の湾曲部５４０として第１の腹側湾曲部５４１と第１の背側湾曲部５４２と、第２の湾曲部１８３として第２の腹側湾曲部１８４と第２の背側湾曲部１８５と、第３の湾曲部１８６と、第４の湾曲部１８７の一部が形成される。また、脚周りギャザー４１０の一部と、胴周りギャザー５３０と、防漏ギャザー８４０が形成される。
よって、この第２２の実施形態のペット用使い捨ておむつ３１は、上述した第１の実施形態に係るペット用使い捨ておむつ１０が奏する作用および効果の内、脚周りギャザー４１０の全部および第４の湾曲部１８７の全部が奏する以外の作用および効果を奏する。
さらに、吸収性コアが配置された股下領域で伸縮性弾性部材を有さず、防漏ギャザー自由端の伸縮性弾性部材を有さないため、吸収性コアが縮まない。よって、吸収性コアの面積を有効に使うことができる。
また、吸収性コアにおける長手方向上の両端部にポケット空間を設けやすい。
加えて、止着領域に伸縮性弾性部材が無い。よって、止着領域が縮まないため、止着部材を止着領域に係合させやすい。
【０１０６】
（第２３の実施形態）
本発明に係る第２３の実施形態を、図４４に基づき説明する。第２３の実施形態に係るペット用使い捨ておむつ３２は、第１の実施形態に係るペット用使い捨ておむつ１０に比して、脚周り用伸縮性弾性部材４０３が背側胴周り域に配置されていないものである。また、防漏シート用弾性伸縮性弾性部材の収縮力は、ペット用使い捨ておむつ３２の腹側端部には影響を及ぼさないものである。
この第２３の実施形態に係るペット用使い捨ておむつ３２と、第１の実施形態に係るペット用使い捨ておむつ１０とを比較する。第２３の実施形態に係るペット用使い捨ておむつ３２は、脚周り用伸縮性弾性部材４０３が配置された領域にのみ脚周りギャザー４１０および第４の湾曲部１８７が形成される。また、起立部７００の内の背側起立部７２０と、第２の湾曲部１８３の内の第２の背側湾曲部１８５とが形成されない。
一方、起立部７００として、腹側起立部７１０と股下起立部７３０が形成される。また、防漏壁８２０が形成される。また、第１の湾曲部５４０として第１の腹側湾曲部５４１と第１の背側湾曲部５４１と、第２の背側湾曲部１８４として第２の腹側湾曲部１８５と、第３の湾曲部１８６と、第４の湾曲部１８７の一部とが形成される。また、脚周りギャザー４１０の一部と胴周りギャザー５３０と防漏ギャザー８４０が形成される。
よって、この第２３の実施形態のペット用使い捨ておむつ３２は、上述した第１の実施形態に係るペット用使い捨ておむつ１０が奏する作用および効果の内、脚周りギャザー４１０の全部と、背側起立部７２０と、第２の背側湾曲部１８５と、第４の湾曲部１８７の全部とが奏する以外の作用および効果を奏する。
さらに、吸収性コアの背側端部方向および腹側端部方向にポケット空間を設けやすい。
【０１０７】
（第２４の実施形態）
本発明に係る第２４の実施形態を、図４５に基づき説明する。第２４の実施形態に係るペット用使い捨ておむつ３３は、第１の実施形態に係るペット用使い捨ておむつ１０に比して、脚周り用伸縮性弾性部材４０４が腹側胴周り域に配置されていないものである。また、防漏シート用弾性伸縮性弾性部材の収縮力は、ペット用使い捨ておむつ３３の背側端部には影響を及ぼさないものである。
この第２４の実施形態に係るペット用使い捨ておむつ３３と、第１の実施形態に係るペット用使い捨ておむつ１０とを比較する。第２４の実施形態に係るペット用使い捨ておむつ３３は、脚周り用伸縮性弾性部材４０４が配置された領域にのみ脚周りギャザー４１０が形成される。また、起立部７００の内の腹側起立部７１０と、第２の湾曲部１８３の内の第２の腹側湾曲部１８４とが形成されない。
一方、起立部７００として、背側起立部７２０と股下起立部７３０が形成される。また、防漏壁８２０が形成される。また、第１の湾曲部５４０として第１の腹側湾曲部５４１と第１の背側湾曲部１８５と、第２の背側湾曲部１８４として第２の腹側湾曲部１８５と、第３の湾曲部１８６と、第４の湾曲部１８７とが形成される。また、脚周りギャザー４１０の一部と胴周りギャザー５３０と防漏ギャザー８４０が形成される。
よって、この第２４の実施形態のペット用使い捨ておむつ３３は、上述した第１の実施形態に係るペット用使い捨ておむつ１０が奏する作用および効果の内、脚周りギャザー４１０の全部と、腹側起立部７１０と、第２の腹側湾曲部１８４とが奏する以外の作用および効果を奏する。
さらに、吸収性コアに収縮力が働かないため、吸収性コアの面積を有効活用できる。
また、背側領域側にのみに脚周り用伸縮性弾性部材を有するため、ペットの背中にペット用使い捨ておむつを沿わせやすい。その結果、止着部を止着領域に係合させやすい。
【０１０８】
（第２５の実施形態）
本発明に係る第２５の実施形態を、図４６に基づき説明する。第２５の実施形態に係るペット用使い捨ておむつ３４は、第１の実施形態に係るペット用使い捨ておむつ１０に比して、脚周り用伸縮性弾性部材を有さないものである。一方、防漏シート用伸縮性弾性部材６０１が、ペット用使い捨ておむつ３４の腹側端部から背側端部に亘り配置されている。この際、防漏シートの固定部において、腹側固定部および背側固定部は、それぞれペット用使い捨ておむつ３４の腹側端部および背側端部に形成されている。また、防漏シート用伸縮性弾性部材６０１は胴周り用伸縮性弾性部材の内、腹側胴周り用伸縮性弾性部材と背側胴周り用弾性部材のそれぞれと重ねられている。
この第２５の実施形態に係るペット用使い捨ておむつ３４と、第１の実施形態に係るペット用使い捨ておむつ１０とを比較する。第２５の実施形態に係るペット用使い捨ておむつ３４は、防漏シート用伸縮性弾性部材６０１により、起立部７００として腹側起立部７１０と背側起立部７２０と、防漏壁８２０と、防漏ギャザー８４０と、第３の湾曲部１８６と、第４の湾曲部１８７が形成される。
胴周り伸縮性弾性部材として、腹側胴周り用伸縮性弾性部材により第１の腹側湾曲部５４１が、背側胴周り用伸縮性弾性部材により第１の背側湾曲部５４２がそれぞれ形成される。
防漏シート用伸縮性弾性部材６０１の収縮力と、腹側胴周り用伸縮性弾性部材の収縮力により第１の収縮力交差領域１８１が形成され、第２の腹側湾曲部１８４が形成される。
防漏シート用伸縮性弾性部材６０１の収縮力と、背側胴周り用伸縮性弾性部材の収縮力により第２の収縮力交差領域１８２が形成され、第２の背側湾曲部１８５が形成される。
すなわち、第２５の実施形態に係るペット用使い捨ておむつ３４においては、第１の実施形態に係るペット用使い捨ておむつ１０に比して、股下側起立部７３０と、脚周りギャザー４１０が形成されない。
よって、この第２５の実施形態に係るペット用使い捨ておむつ３４は、上述した第１の実施形態に係るペット用使い捨ておむつ１０が奏する作用および効果の内、脚周りギャザー４１０と、股下側起立部７３０とが奏する以外の作用および効果を奏する。
さらに、この第２５の実施形態に係るペット用使い捨ておむつ３４にあっては、脚周り用伸縮性弾性部材が形成されていないため、ペット用使い捨ておむつ３４の長手交差方向上の端部を、吸収性コアに近づけることができる。この結果、ペット用使い捨ておむつ３４において、ペットの脚周りに接触する部分をより減少させることができる。
また、脚周りを形成するシートが無いため、ペット用使い捨ておむつを装着した際に、脚周りをすっきりさせることができる。
【０１０９】
（第２６の実施形態）
本発明に係る第２６の実施形態を、図４７に基づき説明する。第２６の実施形態に係るペット用使い捨ておむつ３５は、第１の実施形態に係るペット用使い捨ておむつ１０に比して、脚周り用伸縮性弾性部材４０４が腹側胴周り域と背側胴周り域に配置されていないものである。また、防漏シート用弾性伸縮性弾性部材の収縮力は、ペット用使い捨ておむつ３５の腹側端部には影響を及ぼさないものである。また、腹側胴周り用伸縮性弾性部材５１１は、係止部３０１と重ねられている。本発明に係る「腹側胴周り用伸縮性弾性部材と係止部が重なる」とは、腹側胴周り用伸縮性弾性部材と係止部とが直接接触していることを指すものではない。つまり、腹側胴周り用伸縮性弾性部材の収縮力が、フラップ部を経由せずに、直接的に係止部に作用することを示すものである。
この第２６の実施形態に係るペット用使い捨ておむつ３５と、第１の実施形態に係るペット用使い捨ておむつ１０とを比較する。第２６の実施形態に係るペット用使い捨ておむつ３５は、脚周り用伸縮性弾性部材４０５が配置された領域にのみ脚周りギャザー４１０が形成される。また、起立部７００の内の腹側起立部７１０と背側起立部７２０が形成されない。第２の湾曲部１８３の内の第２の腹側湾曲部１８４と第２の背側湾曲部１８５とが形成されない。第４の湾曲部１８７は、脚周り用伸縮性弾性部材４０５が配置されている領域にのみ形成される。
一方、起立部７００として、股下起立部７３０が形成される。また、防漏壁８２０が形成される。また、第１の湾曲部５４０として第１の腹側湾曲部５４１と第１の背側湾曲部１８５と、第３の湾曲部１８６と、第４の湾曲部１８７の一部とが形成される。脚周りギャザー４１０の一部と、防漏ギャザー８４０が形成される。
よって、この第２６の実施形態のペット用使い捨ておむつ３５は、上述した第１の実施形態に係るペット用使い捨ておむつ１０が奏する作用および効果の内、股下起立部７３０と、防漏壁８２０と、第１の腹側湾曲部５４１と、第１の背側湾曲部１８５と、第３の湾曲部１８６と、第４の湾曲部１８７の一部と、脚周りギャザー４１０の一部と、防漏ギャザー８４０に基づく作用、効果を奏する。
さらに、腹側胴周り用伸縮性弾性部材５１１が係止部３０１と重なっている。よって、ペット用使い捨ておむつ３５を装着するにあたり、腹側胴周り域をペットの腹に当接した場合、係止部３０１が腹側胴周り用伸縮性弾性部材５１１の収縮力の影響を受け、おむつ内面方向へ湾曲する。よって、使用者が止着部３０１を把持しやすくなる。
【０１１０】
（第２７の実施形態）
本発明に係る第２７の実施形態を、図４８に基づき説明する。第２７の実施形態に係るペット用使い捨ておむつ３６は、第１の実施形態に係るペット用使い捨ておむつ１０に比して、脚周り用伸縮性弾性部材４０６がペット用使い捨ておむつ３６の腹側胴周り域および背側胴周り域に形成されていないものである。一方、防漏シート用伸縮性弾性部材６０３が、ペット用使い捨ておむつ３６の腹側端部から背側端部に亘り配置されている。この際、防漏シートの固定部において、腹側固定部および背側固定部は、それぞれペット用使い捨ておむつ３６の腹側端部および背側端部に形成されている。また、防漏シート用伸縮性弾性部材６０３は胴周り用伸縮性弾性部材の内、腹側胴周り用伸縮性弾性部材５１２と背側胴周り用弾性部材のそれぞれと重ねられている。また、腹側胴周り用伸縮性弾性部材５１２は、係止部３０２と重ねられている。
この第２７の実施形態に係るペット用使い捨ておむつ３６と、第１の実施形態に係るペット用使い捨ておむつ１０とを比較する。第２７の実施形態に係るペット用使い捨ておむつ３６は、防漏シート用伸縮性弾性部材６０３により、起立部７００として腹側起立部７１０と背側起立部７２０と、防漏壁８２０と、防漏ギャザー８４０と、第３の湾曲部１８６と、第４の湾曲部１８７が形成される。
胴周り伸縮性弾性部材として、腹側胴周り用伸縮性弾性部材５１２により第１の腹側湾曲部５４１が、背側胴周り用伸縮性弾性部材により第１の背側湾曲部５４２がそれぞれ形成される。
防漏シート用伸縮性弾性部材６０３の収縮力と、腹側胴周り用伸縮性弾性部材の収縮力により第１の収縮力交差領域１８１が形成され、第２の腹側湾曲部１８４が形成される。
防漏シート用伸縮性弾性部材６０３の収縮力と、背側胴周り用伸縮性弾性部材の収縮力により第２の収縮力交差領域１８２が形成され、第２の背側湾曲部１８５が形成される。
すなわち、第２７の実施形態に係るペット用使い捨ておむつ３６においては、第１の実施形態に係るペット用使い捨ておむつ１０に比して、股下側起立部７３０と、脚周りギャザー４１０の一部が形成されない。
よって、この第２７の実施形態に係るペット用使い捨ておむつ３６は、上述した第１の実施形態に係るペット用使い捨ておむつ１０が奏する作用および効果の内、脚周りギャザー４１０の全部と、股下側起立部７３０とが奏する以外の作用および効果を奏する。
さらに、腹側領域および背側領域に胴周り用伸縮性弾性部材を有さないことにより、ペットの胴周りに沿わせて、止着部材を係合させることができる。
また、吸収性コアにおけるおむつ長手方向の両端部にポケットを形成することできる。
さらに、腹側胴周り用伸縮性弾性部材５１２が係止部３０２と重なっている。よって、ペット用使い捨ておむつ３６を装着するにあたり、腹側胴周り域をペットの腹に当接した場合、係止部３０２が腹側胴周り用伸縮性弾性部材５１２の収縮力の影響を受け、おむつ内面方向へ湾曲する。よって、使用者が止着部３０２を把持しやすくなる。
【０１１１】
（第２８の実施形態）
本発明に係る第２８の実施形態を、図４９に基づき説明する。第２８の実施形態に係るペット用使い捨ておむつ３７は、第１の実施形態に係るペット用使い捨ておむつ１０に比して、防漏シート用伸縮性弾性部材６０４が、ペット用使い捨ておむつ３７の腹側端部から背側端部に亘り配置されている。この際、防漏シートの固定部において、腹側固定部および背側固定部は、それぞれペット用使い捨ておむつ３７の腹側端部および背側端部に形成されている。また、防漏シート用伸縮性弾性部材６０４は胴周り用伸縮性弾性部材の内、腹側胴周り用伸縮性弾性部材５１３と背側胴周り用弾性部材のそれぞれと重ねられている。また、腹側胴周り用伸縮性弾性部材５１３は、係止部３０３と重ねられている。
この第２８の実施形態に係るペット用使い捨ておむつ３７と、第１の実施形態に係るペット用使い捨ておむつ１０とを比較する。第２８の実施形態に係るペット用使い捨ておむつ３７は、脚周り用伸縮性弾性部材４０７と防漏シート用伸縮性弾性部材６０４とにより、起立部７００として腹側起立部７１０と背側起立部７２０と、脚周りギャザー４１０と、防漏壁８２０と、防漏ギャザー８４０と、第３の湾曲部１８６と、第４の湾曲部１８７が形成される。
胴周り伸縮性弾性部材として、腹側胴周り用伸縮性弾性部材５１３により第１の腹側湾曲部５４１が、背側胴周り用伸縮性弾性部材により第１の背側湾曲部５４２がそれぞれ形成される。
第１の収縮交差領域１８１としては、脚周り用伸縮性弾性部材４０７の収縮力と腹側胴周り用伸縮性弾性部材５１３の収縮力の交差によるものと、防漏シート用伸縮性弾性部材６０４の収縮力と腹側胴周り用伸縮性弾性部材５１３の収縮力によるものとの２つの構成が形成される。よって、第２の腹側湾曲部１８４としても、この２つの第１の収縮力交差領域１８１に伴い２つの構成が形成される。
第２の収縮交差領域１８２としては、脚周り用伸縮性弾性部材４０７の収縮力と背側胴周り用伸縮性弾性部材の収縮力の交差によるものと、防漏シート用伸縮性弾性部材６０４の収縮力と背側胴周り用伸縮性弾性部材収縮力によるものとの２つの構成が形成される。よって、第２の背側湾曲部１８５としても、この２つの第２の収縮力交差領域１８２に伴い２つの構成が形成される。
すなわち、第２８の実施形態に係るペット用使い捨ておむつ３７においては、第１の実施形態に係るペット用使い捨ておむつ１０に比して、股下側起立部７３０が形成されない。
よって、この第２８の実施形態に係るペット用使い捨ておむつ３７は、上述した第１の実施形態に係るペット用使い捨ておむつ１０が奏する作用および効果の内、股下側起立部７３０が奏する以外の作用および効果を奏する。
さらに、腹側胴周り用伸縮性弾性部材５１３が係止部３０３と重なっている。よって、ペット用使い捨ておむつ３７を装着するにあたり、腹側胴周り域をペットの腹に当接した場合、係止部３０３が腹側胴周り用伸縮性弾性部材５１３の収縮力の影響を受け、おむつ内面方向へ湾曲する。よって、使用者が止着部３０３を把持しやすくなる。
また、おむつ長手方向全体に収縮力が働くため、排泄物の漏れを生じにくい。よって、特に寝たきり状態のペットに適したものである。
【０１１２】
（第２９の実施形態）
本発明に係る第２９の実施形態を、図５０に基づき説明する。第２９の実施形態に係るペット用使い捨ておむつ３８は、第１の実施形態に係るペット用使い捨ておむつ１０に比して、脚周り用伸縮性弾性部材４０８が背側胴周り域に形成されていない。さらに、防漏シート用伸縮性弾性部材６０５が、ペット用使い捨ておむつ３８の腹側端部にまで形成されている。この際、防漏シートの固定部において、腹側固定部はペット用使い捨ておむつ３８の腹側端部に形成されている。また、防漏シート用伸縮性弾性部材６０４は胴周り用伸縮性弾性部材の内、腹側胴周り用伸縮性弾性部材５１４と重ねられている。また、腹側胴周り用伸縮性弾性部材５１４は、係止部３０４と重ねられている。
この第２９の実施形態に係るペット用使い捨ておむつ３８と、第１の実施形態に係るペット用使い捨ておむつ１０とを比較する。第２９の実施形態に係るペット用使い捨ておむつ３８は、脚周り用伸縮性弾性部材４０７と防漏シート用伸縮性弾性部材６０４とにより、起立部７００として腹側起立部７１０と股下側起立部７３０と、脚周りギャザー４１０の一部と、防漏壁８２０と、防漏ギャザー８４０と、第３の湾曲部１８６と、第４の湾曲部１８７の一部が形成される。
胴周り伸縮性弾性部材として、腹側胴周り用伸縮性弾性部材５１４により第１の腹側湾曲部５４１が形成される。
第１の収縮交差領域１８１としては、脚周り用伸縮性弾性部材４０８の収縮力と腹側胴周り用伸縮性弾性部材５１４の収縮力の交差によるものと、防漏シート用伸縮性弾性部材６０５の収縮力と腹側胴周り用伸縮性弾性部材５１４の収縮力によるものとの２つの構成が形成される。よって、第２の腹側湾曲部１８４としても、この２つの第１の収縮力交差領域１８１に伴い２つの構成が形成される。
すなわち、第２９の実施形態に係るペット用使い捨ておむつ３８においては、第１の実施形態に係るペット用使い捨ておむつ１０に比して、背側起立部７２０と、脚周りギャザー４１０の一部と、第１の背側湾曲部５４１と、第２の背側湾曲部５４２と、第４の湾曲部１８７の一部とが構成されない。
よって、この第２９の実施形態に係るペット用使い捨ておむつ３８は、上述した第１の実施形態に係るペット用使い捨ておむつ１０が奏する作用および効果の内、背側起立部７２０と、脚周りギャザー４１０の全部と、第１の背側湾曲部５４１と、第２の背側湾曲部５４２と、第４の湾曲部１８７の全部が奏する以外の作用および効果を奏する。
腹側領域にのみ収縮力が強く働く構成であり、吸収性コアの腹側領域方向にポケットを形成しやすい、よって、雄用のペット用使い捨ておむつとして好適である。
さらに、腹側胴周り用伸縮性弾性部材５１４が係止部３０４と重なっている。よって、ペット用使い捨ておむつ３８を装着するにあたり、腹側胴周り域をペットの腹に当接した場合、係止部３０４が腹側胴周り用伸縮性弾性部材５１４の収縮力の影響を受け、おむつ内面方向へ湾曲する。よって、使用者が止着部３０４を把持しやすくなる。
【０１１３】
なお、本発明に係るペット用使い捨ておむつの構成は上述した構造に限らないものである。また、第１〜第２９の実施形態に係る構成を適宜組み合わせることも可能である。
【０１１４】
（実施の形態と本発明の各構成要素の対応について）
ペット用使い捨ておむつ１０、１１、１２、１３、１４、１５、１６、１７、１８、１９、２０、２１、２２、２３、２４、２５、２６、２７、２８、２９、３０、３１、３２、３３、３４、３５、３６、３７、３８は、本発明に係る「ペット用使い捨ておむつ」の一例である。背側胴周り域１３０は、本発明に係る「背側胴周り域」の一例である。腹側胴周り域１１０は、本発明に係る「腹側胴周り域」の一例である。股下域１２０は、本発明に係る「股下域」の一例である。おむつ長手方向Ｙは、本発明に係る「おむつ長手方向」の一例である。おむつ長手交差方向Ｘは、本発明に係る「おむつ長手交差方向」の一例である。背側胴周り域端部１３０Ａは、本発明に係る「背側胴周り端部」の一例である。腹側胴周り域端部１１０Ａは、本発明に係る「腹側胴周り端部」の一例である。長手交差方向上における両端部１００Ａは、本発明に係る「端部」の一例である。背側フラップ部１６０、１６１、１６２、１６３、１６４は、本発明に係る「背側フラップ部」の一例である。腹側フラップ部１５０は、本発明に係る「腹側フラップ部」の一例である。尻尾挿通開口１９０は、本発明に係る「尻尾挿通開口」の一例である。吸収性コア２００は、本発明に係る「吸収性コア」の一例である。止着部３００、３０１、３０２、３０３、３０４は、本発明に係る「止着部」の一例である。止着領域９００、９０１、９０２、９０３、９０４、９０５、９０６、９０７は、本発明に係る「止着領域」の一例である。識別領域１０Ａ、１１Ａ、１２Ａ、１３Ａ、１４Ａ、１５Ａ、１６Ａは、本発明に係る「識別領域」の一例である。第１の延出識別領域１０Ａ１は、本発明に係る「第１の延出識別領域」の一例である。第２の延出識別領域１１Ａ１は、本発明に係る「第２の延出識別領域」の一例である。配色識別領域１２Ａ１は、本発明に係る「配色識別領域」の一例である。第１の仮想線１０Ａ１１は、本発明に係る「第１の仮想線」の一例である。第２の仮想線９００ＢＣ１は、本発明に係る「第２の仮想線」の一例である。第３の仮想線Ｄ１６０は、本発明に係る「第３の仮想線」の一例である。第４の仮想線３００Ｃ１は、本発明に係る「第４の仮想線」の一例である。第５の仮想線１５０Ａ１は、本発明に係る「第５の仮想線」の一例である。第６の仮想線Ｄ１５０は、本発明に係る「第６の仮想線」の一例である。視認領域１３Ａ１、１４Ａ１、１５Ａ１、１６Ａ１は、本発明に係る「視認領域」の一例である。光線透過識別領域１３Ａ２は、本発明に係る「光線透過識別領域」の一例である。切欠き識別領域１４Ａ２は、本発明に係る「切欠き識別領域」の一例である。第１の開口識別領域１５Ａ２は、本発明に係る「第１の開口識別領域」の一例である。第２の開口識別領域１６Ａ２は、本発明に係る「第２の開口識別領域」の一例である。蓋領域１６Ａ２２は、本発明に係る「蓋領域」の一例である。
【０１１５】
以上の本発明の特質に鑑み、以下の各種の構成態様が構築できる。
（態様１）
ペット用使い捨ておむつであって、
背側胴周り域と、腹側胴周り域と、該背側胴周り域と腹側胴周り域の間に位置する股下域と、
前記ペット用使い捨ておむつがペットに装着されていない状態において、前記背側胴周り域と前記股下域と前記腹側胴周り域が連続する方向であるおむつ長手方向と、該おむつ長手方向と交差する方向であるおむつ長手交差方向と、
前記おむつ長手方向上における背側胴周り域端部と、前記おむつ長手方向上における腹側胴周り域端部と、前記おむつ長手交差方向上における両端部と、
前記背側胴周り域に設けられる背側フラップ部と、
前記腹側胴周り域に設けられる腹側フラップ部と、
前記おむつ長手方向の所定領域に設けられる尻尾挿通開口と、
前記おむつ長手方向において前記尻尾開通口の一方側に形成され、前記股下域と前記腹側胴周り域の所定領域に配置される吸収性コアと、
前記腹側フラップ部に配置されるとともに所定の長さを有する止着部と、
前記背側胴周り領域に設けられるとともに前記止着部を受ける止着領域と、を有し、
前記背側フラップ部と前記腹側フラップ部の少なくとも一方は識別領域を有し、
前記ペット用使い捨ておむつを前記ペットへ装着する状態においては、前記背側胴周り域が前記ペットの背に密接されつつ、前記股下域および前記腹側胴周り域が前記ペットの股間乃至腹に被覆されるとともに、前記止着部が前記止着領域に止着され、
前記ペット用使い捨ておむつを前記ペットが装着している状態においては、排泄時の前記吸収性コアの重量が前記止着部の長手方向で受けられるとともに、前記ペット用使い捨ておむつの外部からの前記識別領域の視認情報に基づき、前記背側フラップ部の状態が異常であることを判別可能に構成されていることを特徴とするペット用使い捨ておむつ。
（態様２）
態様1に記載されたペット用使い捨ておむつにおいて、
前記識別領域が前記ペット用使い捨ておむつの外部から視認できる場合は前記背側フラップ部の状態を正常とし、
前記識別領域が前記ペット用使い捨ておむつの外部から視認できない場合は前記背側フラップ部の状態を異常とすることを特徴とするペット用使い捨ておむつ。
（態様３）
態様１または２のいずれか１項に記載されたペット用使い捨ておむつにおいて、
前記背側フラップ部の状態が正常とはペット用使い捨ておむつをペットに装着した状態において前記背側フラップ部が折れ曲っていない状態であり、
前記背側フラップ部の状態が異常とはペット用使い捨ておむつをペットに装着した状態において前記背側フラップ部の少なくとも一部が折れ曲っている状態であることを特徴とするペット用使い捨ておむつ。
（態様４）
態様１〜３のいずれか１項に記載されたペット用使い捨ておむつにおいて、
前記識別領域が、前記背側フラップ部に設けられていることを特徴とするペット用使い捨ておむつ。
（態様５）
態様４に記載されたペット用使い捨ておむつにおいて、
前記識別領域が、前記背側フラップ部の長手交差方向上に延出された第１の延出識別領域であることを特徴とするペット用使い捨ておむつ。
（態様６）
態様４に記載されたペット用使い捨ておむつにおいて、
前記識別領域が、前記背側フラップ部の長手方向上に延出された第２の延出識別領域であることを特徴とするペット用使い捨ておむつ。
（態様７）
態様４に記載されたペット用使い捨ておむつにおいて、
前記識別領域が、前記背側フラップ部における他の領域とは異なる配色を施された配色識別領域であることを特徴とするペット用使い捨ておむつ。
（態様８）
態様４に記載されたペット用使い捨ておむつにおいて、
前記ペット用使い捨ておむつを前記ペットが装着している状態においては、前記背側フラップ部に設けられた前記識別領域が、前記腹側フラップ部における長手方向上の端部から突出していることを特徴とするペット用使い捨ておむつ。
（態様９）
態様８に記載されたペット用使い捨ておむつにおいて、
前記背側フラップ部における前記識別領域の背側方向端部を通過するおむつ長手交差方向の仮想線である第１の仮想線と、
前記背側フラップ部における前記止着領域の背側方向端部を通過するおむつ長手交差方向の仮想線である第２の仮想線と
前記第１の仮想線と前記第２の仮想線とを結ぶおむつ長手方向の仮想線である第３の仮想線と、
前記腹側フラップ部における前記止着手段の背側方向端部を通過するおむつ長手交差方向の仮想線である第４の仮想線と、
前記腹側フラップ部における腹側方向端部を通過するおむつ長手交差方向の仮想線である第５の仮想線と、
前記第４の仮想線と前記第５の仮想線とを結ぶおむつ長手方向の仮想線である第６の仮想線と、を有し、
前記第３の仮想線の長さが、前記第６の仮想線の長さよりも長く形成されていることを特徴とするペット用使い捨ておむつ。
（態様１０）
態様１〜３のいずれか１項に記載されたペット用使い捨ておむつにおいて、
前記識別領域が、前記腹側フラップ部に設けられていることを特徴とするペット用使い捨ておむつ。
（態様１１）
態様１０に記載されたペット用使い捨ておむつにおいて、
前記識別領域が、前記背側フラップ部の状態を確認するために前記腹側フラップ部に設けられた視認領域であることを特徴とするペット用使い捨ておむつ。
（態様１２）
態様１０に記載されたペット用使い捨ておむつにおいて、
前記視認領域が、光線を透過することができる光線透過識別領域であることを特徴とするペット用使い捨ておむつ。
（態様１３）
態様１０に記載されたペット用使い捨ておむつにおいて、
前記視認領域が、前記腹側フラップ部の腹側方向端部を切欠いて形成された切欠き識別領域であることを特徴とするペット用使い捨ておむつ。
（態様１４）
態様１０に記載されたペット用使い捨ておむつにおいて、
前記視認領域が、前記腹側フラップ部を開口して形成された第１の開口識別領域であることを特徴とするペット用使い捨ておむつ。
（態様１５）
態様１０に記載されたペット用使い捨ておむつにおいて、
前記視認領域が、前記腹側フラップ部を開口して形成された第２の開口識別領域と、該第２の開口識別領域を覆うとともに該第２の開口識別領域に対して開閉自在に形成された蓋領域とにより構成されていることを特徴とするペット用使い捨ておむつ。
（態様１６）
態様１〜１５までのいずれか１項に記載されたペット用使い捨ておむつにおいて、
前記識別領域が、前記背側フラップ部に設けられた背側フラップ部識別領域と、前記腹側フラップ部に設けられた腹側フラップ部領域とにより形成されていることを特徴とするペット用使い捨ておむつ。
【符号の説明】
【０１１６】
１０、１１、１２、１３、１４、１５、１６、１７、１８、１９、２０、２１、２２、２３、２４、２５、２６、２７、２８、２９、３０、３１、３２、３３、３４、３５、３６、３７、３８、１０００  ペット用使い捨ておむつ
１０Ａ、１１Ａ、１２Ａ、１３Ａ、１４Ａ、１５Ａ、１６Ａ  識別領域
１０Ａ１  第１の延出識別領域
１０Ａ１１  第１の仮想線
１１Ａ１  第２の延出識別領域
１２Ａ１  配色識別領域
１３Ａ１、１４Ａ１、１５Ａ１、１６Ａ１  視認領域
１３Ａ２  光線透過識別領域
１４Ａ２  切欠き識別領域
１５Ａ２  第１の開口識別領域
１６Ａ２  第２の開口識別領域
１６Ａ２２  蓋領域
１００Ａ  おむつ長手交差方向上の端部
１００ＡＰ  おむつ最短幅点
１００Ｐ  おむつ中心点
１００Ｙ１  フラップ境界線
１００Ｙ２  おむつ長手方向中心線
１００Ｚ１  内側表面
１００Ｚ２  外側表面
１１０、１１１０  腹側胴周り域
１１０Α、１１１０Ａ  腹側端部
１１０ＡＰ  腹側端部中心点
１２０、１１２０  股下域
１２０Ａ  脚周り端部
１３０、１１３０  背側胴周り域
１３０Α、１１３０Ａ  背側端部
１３０ＡＰ  背側端部中心点
１４０Ａ  フラップ部
１４０Ｂ  本体部
１５０、１１５０  腹側フラップ部
１５０Ａ  おむつ長手方向交差方向上端部
１５０Ａ１  第５の仮想線
１５０Ｂ、１１５０Ｂ  背側端部
１５０Ｌ  腹側フラップ部におけるおむつ長手交差方向の長さ
１６０、１６１、１６２、１６３、１６４、１１６０  背側フラップ部
１６０Ｂ、１６１Ｂ、１６２Ｂ、１６３Ｂ  背側フラップ部における長手交差方向上の端部
１６０Ｂ１、１６１Ｂ１、１６２Ｂ１、１６３Ｂ１  極大領域
１６０Ｌ  背側フラップ部におけるおむつ長手交差方向の長さ
１７０  吸収性コア非配置領域
１７１  腹側起立領域
１７２  背側起立領域
１７３  股下起立領域
１８０  収縮力交差領域
１８１  第１の収縮力交差領域                                              
１８２  第２の収縮力交差領域
１８３  第２の湾曲部
１８４  第２の腹側湾曲部
１８５  第２の背側湾曲部
１９０、１１９０  尻尾挿通開口
１９１  開口用切込み
２００、２０００  吸収性コア
２１０  腹側端部
２２０  背側端部
２３０  おむつ長手交差方向側端部
３００、３０１、３０２、３０３、３０４、３０００  止着部
３００Ｃ１  第４の仮想線
３１０  自由部
３２０  固定部
３００Ｐ１  止着部中間点
３００Ｐ２  最短直線点
３００Ｌ  最短直線距離
３００Ｘ  止着部長手方向
３００Ｙ  止着部長手交差方向
４００、４０１Ａ、４０１Ｂ、４０１Ｃ、４０２、４０２Ａ、４０２Ｂ、４０３、４０４、４０５、４０６、４０７、４０８、４０００  脚周り用伸縮性弾性部材
４１０、４４１０  脚周りギャザー
４２０  第４の湾曲部
５００  胴周り用伸縮性弾性部材
５１０、５１１、５１２、５１３、５１４  腹側胴周り用伸縮性弾性部材
５２０  背側胴周り用伸縮性弾性部材
５３０  胴周りギャザー
５４０  第１の湾曲部
５４１  第１の腹側湾曲部
５４２  第１の背側湾曲部
６００、６０１、６０２、６０３，６０４、６０５、６０００  防漏シート用伸縮性弾性部材
６１０  収縮力固定部
６２０  腹側収縮力固定部
６３０  背側収縮力固定部
６４０  第３の湾曲部
７００  起立部
７１０  腹側起立部
７２０  背側起立部
７３０  股下側起立部
７４０  起立シート
８００、８０００  防漏シート
８１０  折り返し部
８２０  防漏壁
８３０  防漏シート固定部
８４０  防漏ギャザー
８５０  排泄物収容空間
９００、９０１、９０２、９０３、９０４、９０５、９０６、９０７、９０００  止着領域
９００Ａ、９０１Ａ、９０２Ａ、９０３Ａ、９０４Ａ、９０５Ａ、９０６、Ａ、９０７Ａ  第１の止着領域
９００Ｂ、９０１Ｂ、９０２Ｂ  第２の止着領域
９００ＢＣ１  第２の仮想線
９１０  液透過性シート
９２０  液抵抗性シート
９３０  外層シート
９３０Ａ、９３１Ａ、９３２Ａ、９３３Ａ、９３４Ａ  第１の溶着部
９３０ＡＡ  第１の溶着部群
９３０ＡＢ、９３１ＡＢ、９３２ＡＢ  第１の隣接溶着部群
９３０Ａ１、９３１Ａ１  第１の溶着連続線
９３２Ａ２、９３３Ａ２、９３４Ａ２  第１の溶着短線
９３０Ｂ、９３１Ｂ、９３２Ｂ、９３３Ｂ、９３４Ｂ  第２の溶着部
９３０ＢＡ  第２の溶着部群
９３０ＢＢ、９３１ＢＢ、９３２ＢＢ  第２の隣接溶着部群
９３０Ｂ１、９３１Ｂ１  第２の溶着連続線
９３２Ｂ２、９３３Ｂ２、９３４Ｂ２  第２の溶着短線
９３０Ｃ、９３１Ｃ、９３２Ｃ、９３３Ｃ、９３４Ｃ  第３の溶着部
９３０ＣＡ  第３の溶着部群
９３０ＣＢ、９３１ＣＢ  第３の隣接溶着部群
９３０Ｃ１  第３の溶着連続線
９３１Ｃ２、９３２Ｃ２、９３３Ｃ２、９３４Ｃ２  第３の溶着短線
９３０Ｄ、９３１Ｄ、９３２Ｄ、９３３Ｄ、９３４Ｄ  囲繞部
９３０Ｄ１、９３０Ｄ２  平行四辺形の対角線
９３０Ｌ１、９３１Ｌ２  第１のループ部
９３０Ｌ２、９３１Ｌ２  第２のループ部
９３１Ｌ３  第３のループ部
９３１Ｌ４  第４のループ部
９３１Ｌ５  第５のループ部
Ｄ１  おむつ長手方向長さ
Ｄ２  測定長さ
Ｄ１５０  第６の仮想線
Ｄ１６０  第３の仮想線
Ｆ１  脚周り用伸縮性弾性部材の収縮力
Ｆ２  胴周り用伸縮性弾性部材の収縮力
Ｆ３  収縮力交差領域にかかる収縮力
Ｘ  おむつ長手交差方向
Ｙ  おむつ長手方向
α  ペット
α１  ペットの脚
α２  ペットの背
α３  ペットの腹
【図１】
2014117180.tif 000003
【図２】
2014117180.tif 000004
【図３】
2014117180.tif 000005
【図４】
2014117180.tif 000006
【図５】
2014117180.tif 000007
【図６】
2014117180.tif 000008
【図７】
2014117180.tif 000009
【図８】
2014117180.tif 000010
【図９】
2014117180.tif 000011
【図１０】
2014117180.tif 000012
【図１１】
2014117180.tif 000013
【図１２】
2014117180.tif 000014
【図１３】
2014117180.tif 000015
【図１４】
2014117180.tif 000016
【図１５】
2014117180.tif 000017
【図１６】
2014117180.tif 000018
【図１７】
2014117180.tif 000019
【図１８】
2014117180.tif 000020
【図１９】
2014117180.tif 000021
【図２０】
2014117180.tif 000022
【図２１】
2014117180.tif 000023
【図２２】
2014117180.tif 000024
【図２３】
2014117180.tif 000025
【図２４】
2014117180.tif 000026
【図２５】
2014117180.tif 000027
【図２６】
2014117180.tif 000028
【図２７】
2014117180.tif 000029
【図２８】
2014117180.tif 000030
【図２９】
2014117180.tif 000031
【図３０】
2014117180.tif 000032
【図３１】
2014117180.tif 000033
【図３２】
2014117180.tif 000034
【図３３】
2014117180.tif 000035
【図３４】
2014117180.tif 000036
【図３５】
2014117180.tif 000037
【図３６】
2014117180.tif 000038
【図３７】
2014117180.tif 000039
【図３８】
2014117180.tif 000040
【図３９】
2014117180.tif 000041
【図４０】
2014117180.tif 000042
【図４１】
2014117180.tif 000043
【図４２】
2014117180.tif 000044
【図４３】
2014117180.tif 000045
【図４４】
2014117180.tif 000046
【図４５】
2014117180.tif 000047
【図４６】
2014117180.tif 000048
【図４７】
2014117180.tif 000049
【図４８】
2014117180.tif 000050
【図４９】
2014117180.tif 000051
【図５０】
2014117180.tif 000052
【図５１】
2014117180.tif 000053
【図５２】
2014117180.tif 000054